(57)【要約】  電子装置の通信方法は、電源が供給されるとあらかじめ定められた時間ごとに無線で広告信号を出力する過程；前記広告信号を出力する間、前記外部装置から接続中継機の接続情報を獲得する過程；前記接続中継機の接続情報が獲得されると、前記広告信号の出力を中止し、前記接続中継機の接続情報に基づいて前記接続中継機に接続する過程；および電源の供給後に経過した時間があらかじめ定められた基準時間より大きいと、前記広告信号の出力を中止する過程を含むことができる。
2019506020.tif 000002
【特許請求の範囲】
【請求項１】
電源が供給されると無線で広告信号を出力する過程；
前記広告信号を出力する間、前記外部装置から接続中継機の接続情報を獲得する過程；
前記接続中継機の接続情報が獲得されると、前記広告信号の出力を中止し、前記接続中継機の接続情報に基づいて前記接続中継機に接続する過程；および
電源の供給後に前記接続中継機の接続情報を獲得しないまま経過した時間があらかじめ定められた基準時間より大きいと、前記広告信号の出力を中止する過程を含む、電子装置の通信方法。
【請求項２】
前記電源が供給されるとあらかじめ保存された接続情報を確認する過程；
前記あらかじめ保存された接続情報が存在しないと、前記広告信号を出力する過程；および
前記あらかじめ保存された接続情報が存在すると、前記接続情報を利用して前記前記接続中継機に接続する過程をさらに含む、請求項１に記載の電子装置の通信方法。
【請求項３】
前記外部装置から接続中継機の接続情報を獲得する過程は、
前記広告信号を出力する間、前記外部装置の通信要請を受信する過程；
前記外部装置の通信要請に応答して前記外部装置との通信を確立する過程；および
前記外部装置から接続中継機の接続情報を受信する過程を含む、請求項１に記載の電子装置の通信方法。
【請求項４】
前記外部装置から接続中継機の接続情報を獲得する過程は、
前記外部装置から前記外部装置の識別情報を受信する過程；および
前記外部装置に前記電子装置の識別情報を送信する過程をさらに含む、請求項３に記載の電子装置の通信方法。
【請求項５】
前記接続中継機の接続情報は、前記接続中継機の識別情報と前記接続中継機の認証情報とを含み、
前記接続中継機の接続情報に基づいて前記接続中継機に接続する過程は、
前記接続中継機の識別情報を利用して前記接続中継機の広告信号を検索する過程；
前記接続中継機の広告信号が検索されると、前記接続中継機の認証情報を利用して前記接続中継機に接続する過程を含む、請求項１に記載の電子装置の通信方法。
【請求項６】
前記接続中継機に接続されると、前記接続中継機を通じて前記外部装置に前記電子装置の制御権限を送信する過程；
前記接続中継機を通じて前記外部装置からサーバーに対するアカウント情報を受信する過程；および
前記接続中継機を通じて前記サーバーに接続し、前記外部装置のアカウントに前記電子装置の情報を登録する過程をさらに含む、請求項１に記載の電子装置の通信方法。
【請求項７】
前記外部装置に制御権限を送信する過程は、
前記外部装置から制御権限の要請が受信されると、ユーザー認証のためのユーザー入力を要請する過程；
ユーザーによって入力されたユーザー入力があらかじめ定められたユーザー入力と同じであると、前記外部装置に制御権限を送信する過程を含む、請求項６に記載の電子装置の通信方法。
【請求項８】
前記接続中継機に接続されると、前記接続中継機を通じて前記外部装置に広告メッセージを伝送する過程；および
前記外部装置の応答に応答して前記接続中継機を通じての前記外部装置との通信を確立する過程をさらに含む、請求項６に記載の電子装置の通信方法。
【請求項９】
前記広告信号は、前記電子装置のサブシステム識別子（Ｓｅｒｖｉｃｅ  Ｓｅｔ
Ｉｄｅｎｔｉｆｉｅｒ、ＳＳＩＤ）を含む、請求項１に記載の電子装置の通信方法。
【請求項１０】
無線通信部；
電源が供給されると第１モードで動作し、電源の供給後に経過した時間があらかじめ定められた基準時間より大きいと第２モードに切り換える制御部を含むものの、
前記第１モードで前記制御部は、前記無線通信部を通じて広告信号を出力し、
前記第２モードで前記制御部は、前記無線通信部を通じて外部装置の広告信号を受信する、電子装置。
【請求項１１】
前記第１モードで前記制御部は、接続中継機の接続情報を獲得すると第２モードに切り換える、請求項１０に記載の電子装置。
【請求項１２】
前記第２モードで前記制御部は、前記接続中継機の接続情報に基づいて前記接続中継機に接続する、請求項１１に記載の電子装置。
【請求項１３】
前記接続中継機に接続されると、前記制御部は前記接続中継機を通じて移動端末機に制御権限を送信する、請求項１２に記載の電子装置。
【請求項１４】
前記移動端末機から前記制御権限の送信要請が受信されると、前記制御部はユーザー認証のためのユーザー入力を要請し、ユーザーによって入力されたユーザー入力があらかじめ定められたユーザー入力と同じであると、前記移動端末機に前記制御権限を送信する、請求項１３に記載の電子装置。
【請求項１５】
前記広告信号は前記電子装置のサブシステム識別子を含む、請求項１０に記載の電子装置。
【発明の詳細な説明】
【技術分野】
【０００１】
開示された発明は電子装置およびその通信方法に関するものであって、より詳細には、広域ネットワークに接続できる電子装置、電子装置の通信方法および移動端末機の通信方法に関する発明である。
【背景技術】
【０００２】
最近殆どの電子装置は、インターネットなどの広域ネットワークに接続してネットワークを通じて情報を獲得し、これに基づいて付加的なサービスを提供する。
【０００３】
例えば、家電機器の一種である冷蔵庫はインターネットに接続して食品に関する情報を獲得し、貯蔵された食品管理に関する情報をユーザーに提供することができる。また、空気調和機はインターネットに接続して空気調和のための情報を獲得し、獲得した情報に基づいてユーザーに快適な空気調和サービスを提供することができる。
【０００４】
このような電子装置をインターネットなどの広域ネットワークに接続させるために、広域ネットワークに接続された接続中継機が設けられ、電子装置は接続中継機を通じて広域ネットワークに接続することができる。
【０００５】
この時、電子装置が接続中継機に接続するためには、電子装置は接続中継機のサブシステム識別子（Ｓｅｒｖｉｃｅ  Ｓｅｔ  Ｉｄｅｎｔｉｆｉｅｒ、ＳＳＩＤ）を通じて接続中継機を識別し、認証コードを入力して認証しなければならない。
【０００６】
しかし、殆どの電子装置は、ユーザーから制御命令の入力を受けるために最適化されたボタンを含むことによって、電子装置に接続中継機のサブシステム識別子および認証コードを入力し難い問題点があった。
【発明の概要】
【発明が解決しようとする課題】
【０００７】
そこで、開示された発明の一側面は、ユーザーの移動端末機を利用して電子装置に接続中継機のサブシステム識別子および認証コードを入力できる、電子装置、電子装置の通信方法および移動端末機の通信方法を提供することをその目的とする。
【０００８】
また、開示された発明の他の一側面は、移動端末機から接続中継機のサブシステム識別子および認証コードを受信できるモードで動作する、電子装置およびその通信方法を提供することをその目的とする。
【０００９】
また、開示された発明の他の一側面は、接続中継機のサブシステム識別子および認証コードを獲得した後には、追加的に接続中継機のサブシステム識別子および認証コードを獲得しない、電子装置およびその通信方法を提供することをその目的とする。
【課題を解決するための手段】
【００１０】
開示された発明の一側面に係る電子装置の通信方法は、電源が供給されるとあらかじめ定められた時間ごとに無線で広告信号を出力する過程；前記広告信号を出力する間、前記外部装置から接続中継機の接続情報を獲得する過程；前記接続中継機の接続情報が獲得されると、前記広告信号の出力を中止し、前記接続中継機の接続情報に基づいて前記接続中継機に接続する過程；および電源の供給後に経過した時間があらかじめ定められた基準時間より大きいと、前記広告信号の出力を中止する過程を含むことができる。
【００１１】
前記通信方法は、前記電源が供給されるとあらかじめ保存された接続情報を確認する過程；前記あらかじめ保存された接続情報が存在しないと、前記あらかじめ定められた時間ごとに前記広告信号を出力する過程；および前記あらかじめ保存された接続情報が存在すると、前記接続情報を利用して前記接続中継機に接続する過程をさらに含むことができる。
【００１２】
前記外部装置から接続中継機の接続情報を獲得する過程は、前記広告信号を出力する間、前記外部装置の通信要請を受信する過程；前記外部装置の通信要請に応答して前記外部装置との通信を確立する過程；および前記外部装置から接続中継機の接続情報を受信する過程を含むことができる。
【００１３】
前記外部装置から接続中継機の接続情報を獲得する過程は、前記外部装置から前記外部装置の識別情報を受信する過程；および前記外部装置に前記電子装置の識別情報を送信する過程をさらに含むことができる。
【００１４】
前記接続中継機の接続情報は、前記接続中継機の識別情報と前記接続中継機の認証情報とを含み、前記接続中継機の接続情報に基づいて前記接続中継機に接続する過程は、前記接続中継機の識別情報を利用して前記接続中継機の広告信号を検索する過程；前記接続中継機の広告信号が検索されると、前記接続中継機の認証情報を利用して前記接続中継機に接続する過程を含むことができる。
【００１５】
前記通信方法は、前記接続中継機に接続されると、前記接続中継機を通じて前記外部装置に前記電子装置の制御権限を送信する過程；前記接続中継機を通じて前記外部装置からサーバーに対するアカウント情報を受信する過程；および前記接続中継機を通じて前記サーバーに接続し、前記外部装置のアカウントに前記電子装置の情報を登録する過程をさらに含むことができる。
【００１６】
前記外部装置に制御権限を送信する過程は、前記外部装置から制御権限の要請が受信されると、ユーザー認証のためのユーザー入力を要請する過程；ユーザーによって入力されたユーザー入力があらかじめ定められたユーザー入力と同じであると、前記外部装置に制御権限を送信する過程を含むことができる。
【００１７】
前記接続中継機に接続されると、前記接続中継機を通じて前記外部装置に広告メッセージを伝送する過程；および前記外部装置の応答に応答して前記接続中継機を通じての前記外部装置との通信を確立する過程をさらに含むことができる。
【００１８】
前記広告信号は、前記電子装置のサブシステム識別子（ＳＳＩＤ）を含むことができる。
【００１９】
開示された発明の一側面に係る電子装置は、無線通信部；電源が供給されると第１モードで動作し、電源の供給後に経過した時間があらかじめ定められた基準時間より大きいと第２モードに切り換える制御部を含むものの、前記第１モードで前記制御部は、前記無線通信部を通じてあらかじめ定められた時間ごとに広告信号を出力し、前記第２モードで前記制御部は、前記無線通信部を通じて外部装置の広告信号を受信することができる。
【００２０】
前記第１モードで前記制御部は、接続中継機の接続情報を獲得すると第２モードに切り換えることができる。
【００２１】
前記第２モードで前記制御部は、前記接続中継機の接続情報に基づいて前記接続中継機に接続することができる。
【００２２】
前記接続中継機に接続されると、前記制御部は前記接続中継機を通じて移動端末機に制御権限を送信することができる。
【００２３】
前記移動端末機から前記制御権限の送信要請が受信されると、前記制御部はユーザー認証のためのユーザー入力を要請し、ユーザーによって入力されたユーザー入力があらかじめ定められたユーザー入力と同じであると、前記移動端末機に前記制御権限を送信することができる。
【００２４】
前記広告信号は前記電子装置のサブシステム識別子（ＳＳＩＤ）を含むことができる。
【００２５】
開示された発明の一側面に係る移動端末機の通信方法は、あらかじめ定められた電子装置の広告信号を検索する過程；前記電子装置の広告信号が受信されないと、接続中継機の広告信号を検索する過程；前記接続中継機の広告信号が受信されると、前記接続中継機に接続する過程；および前記接続中継機に接続されると、前記接続中継機を通じて前記電子装置から前記電子装置の制御権限を受信する過程を含むことができる。
【００２６】
前記通信方法は、前記電子装置の広告信号が受信されると、ユーザーから前記接続中継機の接続情報の入力を受ける過程；および前記電子装置に前記ユーザーから入力された接続情報を送信する過程をさらに含むことができる。
【００２７】
前記電子装置に前記ユーザーから入力された接続情報を送信する過程は、複数の広告信号が受信されると、信号の強度が最も強い広告信号を出力する電子装置に前記接続情報を送信する過程を含むことができる。
【００２８】
前記電子装置に前記ユーザーから入力された接続情報を送信する過程は、複数の広告信号が受信されると、前記ユーザーによって選択された電子装置に前記接続情報を送信する過程を含むことができる。
【００２９】
前記通信方法は、前記接続中継機に接続されると、前記接続中継機を通じて前記電子装置に検索メッセージを伝送する過程；前記電子装置の応答に応答して前記接続中継機を通じての前記電子装置との通信を確立する過程をさらに含むことができる。
【００３０】
前記通信方法は、前記接続中継機を通じて前記電子装置にサーバーに対するログイン情報を送信する過程；および前記電子装置が前記サーバーにログインすると、前記電子装置のサーバー登録情報を受信する過程をさらに含むことができる。
【００３１】
開示された発明の他の一側面に係る電子装置の通信方法は、接続中継機を通じてサーバー装置と通信する過程；前記接続中継機を通じて外部装置に検索メッセージが受信されると、前記外部装置との通信を確立する過程；前記外部装置の制御権限の要請に応答してユーザー認証のためのユーザー入力を要請する過程；ユーザーによって入力されたユーザー入力があらかじめ定められたユーザー入力と同じであると、前記外部装置に制御権限を送信する過程を含むことができる。
【００３２】
前記通信方法は、前記接続中継機を通じて前記外部装置からサーバーに対するアカウント情報を受信する過程；および前記接続中継機を通じて前記サーバーに接続し、前記外部装置のアカウントに前記電子装置の情報を登録する過程をさらに含むことができる。
【発明の効果】
【００３３】
開示された発明の一側面によると、ユーザーの移動端末機を利用して電子装置に接続中継機のサブシステム識別子および認証コードを入力できる、電子装置、電子装置の通信方法および移動端末機の通信方法を提供することができる。
【００３４】
また、開示された発明の他の一側面によると、移動端末機から接続中継機のサブシステム識別子および認証コードを受信できるモードで動作する、電子装置およびその通信方法を提供することができる。
【００３５】
また、開示された発明の他の一側面によると、接続中継機のサブシステム識別子および認証コードを獲得した後には、追加的に接続中継機のサブシステム識別子および認証コードを獲得しない電子装置およびその通信方法を提供することができる。
【図面の簡単な説明】
【００３６】
【図１】一実施例によるホームネットワークシステムの構成を図示した図面。
【図２】一実施例による電子装置の構成を図示した図面。
【図３】一実施例による電子装置に含まれた通信パートの動作モードを図示した図面。
【図４】一実施例による電子装置に含まれた通信パートの動作モードを図示した図面。
【図５ａ】一実施例による電子装置の動作を図示した図面。
【図５ｂ】一実施例による電子装置の動作を図示した図面。
【図６】一実施例による移動端末機の構成を図示した図面。
【図７】一実施例による移動端末機の動作を図示した図面。
【図８】一実施例による移動端末機が複数の電子装置うち少なくとも一つを選択する一例を図示した図面。
【図９】一実施例による移動端末機が複数の電子装置うち少なくとも一つを選択する一例を図示した図面。
【図１０】一実施例による移動端末機が複数の電子装置うち少なくとも一つを選択する一例を図示した図面。
【図１１】一実施例による移動端末機が複数の電子装置うち少なくとも一つを選択する一例を図示した図面。
【図１２】一実施例による移動端末機が複数の電子装置に接続中継機の情報を放送する一例を図示した図面。
【図１３】一実施例によるホームネットワークシステムの通信方法の一例を図示した図面。
【図１４】図１３に図示された通信方法により電子装置が接続中継機の情報を獲得するのを図示した図面。
【図１５】一実施例による電子装置の通信方法の一例を図示した図面。
【図１６】一実施例による移動端末機の通信方法の一例を図示した図面。
【図１７】一実施例によるホームネットワークシステムの通信方法の一例を図示した図面。
【図１８】図１７に図示された通信方法により電子装置と移動端末機が通信するのを図示した図面。
【図１９】一実施例による電子装置の通信方法の一例を図示した図面。
【図２０】一実施例による移動端末機の通信方法の一例を図示した図面。
【図２１】一実施例によるホームネットワークシステムの通信方法の一例を図示した図面。
【図２２】図２１に図示された通信方法により電子装置と移動端末機が通信するのを図示した図面。
【図２３】一実施例による電子装置の通信方法の一例を図示した図面。
【図２４】一実施例による移動端末機の通信方法の一例を図示した図面。
【図２５】一実施例によるホームネットワークシステムの通信方法の一例を図示した図面。
【図２６】一実施例によるホームネットワークシステムの通信方法の一例を図示した図面。
【図２７】一実施例によるホームネットワークシステムの通信方法の一例を図示した図面。
【発明を実施するための形態】
【００３７】
明細書全体に亘って同じ参照符号は同じ構成要素を指し示す。本明細書は実施例のすべての要素を説明するものではなく、開示された発明が属する技術分野で一般的な内容または実施例間に重複する内容は省略する。
明細書で使われる「部、モジュール、部材、ブロック」という用語は、ソフトウェアまたはハードウェアで具現され得、実施例によっては、複数の「部、モジュール、部材、ブロック」が一つの構成要素で具現されたり、一つの「部、モジュール、部材、ブロック」が複数の構成要素を含むことも可能である。
【００３８】
明細書全体において、ある部分が他の部分と「連結」されているとする時、これは直接的に連結されている場合だけでなく、間接的に連結されている場合を含み、間接的な連結は無線通信網を通じて連結されることを含む。
【００３９】
また、ある部分がある構成要素を「含む」とする時、これは特に反対の記載がない限り他の構成要素を除外するものではなく、他の構成要素をさらに含み得ることを意味する。
【００４０】
明細書全体において、ある部材が他の部材「上に」位置しているとする時、これはある部材が他の部材に接している場合だけでなく、二つの部材間にさらに他の部材が存在する場合も含む。
【００４１】
第１、第２等の用語は、一つの構成要素を他の構成要素から区別するために使われるものであって、構成要素は前述された用語によって制限されるものではない。
【００４２】
単数の表現は文脈上明白に例外がない限り、複数の表現を含む。
【００４３】
各段階において識別符号は説明の便宜のために使われるものであって、識別符号は各段階の順序を説明するものではなく、各段階は文脈上明白に特定の順序を記載しない限り、明記された順序と異なって実施され得る。
【００４４】
以下、添付された図面を参照して開示された発明の作用原理および実施例について説明する。
【００４５】
図１は一実施例によるホームネットワークシステムの構成を図示する。
【００４６】
図１に図示されたように、ホームネットワークシステムは、電子装置１００、移動端末機２００、接続中継機（Ａｃｃｅｓｓ  Ｐｏｉｎｔ、ＡＰ）１０およびサーバー装置１を含むことができる。
【００４７】
電子装置１００は家庭でユーザーにサービスを提供する装置であり、洗濯物の洗濯サービスを提供する洗濯機１００−１、食品の保管サービスを提供する冷蔵庫１００−２および空気調和サービスを提供する空気調和機１００−３等を含むことができる。図面には電子装置１００として、洗濯機１００−１、冷蔵庫１００−２、空気調和機１００−３が図示されたが、これは電子装置１００の例示に過ぎず、接続中継機１０と通信できるすべての電子装置を含むことができる。
【００４８】
また、電子装置１００はユーザーに固有のサービスを提供できるだけでなく、外部装置との通信を通じて固有のサービスと関連した付加的なサービスを提供することができる。
【００４９】
例えば、電子装置１００は、インターネット（ｉｎｔｅｒｎｅｔ）等の広域ネットワーク（Ｗｉｄｅ  Ａｒｅａ  Ｎｅｔｗｏｒｋ、ＷＡＮ）を通じて外部装置から天気、ニュース、調理法、洗濯法などの情報を獲得し、獲得した情報をユーザーに直接表示したり獲得した情報に基づいてユーザーに付加的なサービスを提供することができる。
【００５０】
また、電子装置１００は通信を通じてユーザーの制御命令を受信し、受信された制御命令にしたがって動作することができる。例えば、ユーザーは、電子装置１００に設けられたボタン等を通じて電子装置１００に制御命令を入力できるだけでなく、移動端末機２００を通じて電子装置１００に制御命令を入力することができる。
【００５１】
電子装置１００は移動端末機２００を通じて入力された制御命令を通信を通じて獲得することができ、獲得した制御命令にしたがってユーザーにサービスを提供することができる。
【００５２】
このように、電子装置１００はサーバー装置１または移動端末機２００等の外部装置とのデータ通信を通じてユーザーに、より多様なサービスを提供することができる。
【００５３】
例えば、電子装置１００は移動端末機２００と直接通信したり、サーバー装置１が連結された広域ネットワークＷＡＮに直接接続することができる。このような場合、電子装置１００は、移動端末機２００と通信するための通信モジュールと広域ネットワークＷＡＮに接続するための通信モジュールを別途具備しなければならない負担がある。
【００５４】
他の例として、電子装置１００は接続中継機１０を通じて移動端末機２００と通信したり、接続中継機１０を通じて広域ネットワークＷＡＮに接続することができる。このような場合、電子装置１００が接続中継機１０と通信するための標準化された通信モジュールを具備すると、電子装置１００は接続中継機１０を通じて移動端末機２００と通信し、広域ネットワークＷＡＮに接続することができる。
【００５５】
以下では理解を助けるために電子装置１００が接続中継機１０を通じて移動端末機２００と通信し、広域ネットワークＷＡＮに接続することを仮定する。
【００５６】
接続中継機１０は、「ハブ（ｈｕｂ）」、「ルータ（ｒｏｕｔｅｒ）」、「スイッチ（ｓｗｉｔｃｈ）」、「ゲートウェイ（ｇａｔｅｗａｙ）」等に多様に呼称され得、電子装置１００および移動端末機２００間の通信を中継することができる。また、接続中継機１０は電子装置１００および移動端末機２００で構成されたローカルネットワーク（Ｌｏｃａｌ  Ａｒｅａ  Ｎｅｔｗｏｒｋ、ＬＡＮ）を広域ネットワークＷＡＮに連結させることができる。
【００５７】
例えば、接続中継機１０は、Ｗｉ−Ｆｉ（Ｗｉ−ＦｉＴＭ、ＩＥＥＥ  ８０２．１１）、ブルートゥース（登録商標（Ｂｌｕｅｔｏｏｔｈ）、ＩＥＥＥ  ８０２．１５．１）、ジグビー（Ｚｉｇｂｅｅ、ＩＥＥＥ  ８０２．１５．４）等の無線通信標準を利用して電子装置１００または移動端末機２００と通信し、イーサネット（登録商標（Ｅｔｈｅｒｎｅｔ）、ＩＥＥＥ  ８０２．３）等の有線通信標準を利用して広域ネットワークＷＡＮに接続することができる。
【００５８】
接続中継機１０を中心に電子装置１００および移動端末機２００間にはローカルネットワークＬＡＮが形成され得る。換言すると、電子装置１００および移動端末機２００は接続中継機１０を通じて相互間にデータをやり取りすることができる。
【００５９】
また、接続中継機１０は、電子装置１００および移動端末機２００で構成されたローカルネットワークＬＡＮと広域ネットワークＷＡＮとの間を中継することができる。換言すると、電子装置１００および移動端末機２００は、接続中継機１０を通じてインターネット等の広域ネットワークＷＡＮに接続することができる。
【００６０】
特に、接続中継機１０は外部装置に自分の存在を知らせるために広告信号を放送することができる。接続中継機１０の広告信号を受信した電子装置１００および／または移動端末機２００は、接続中継機１０に通信要請を伝送することができる。
【００６１】
移動端末機２００は、ユーザーに音声通信サービスおよびデータ通信サービスなどの多様な通信サービスを提供することができる。
【００６２】
特に、移動端末機２００はローカル通信および移動通信が可能である。ここで、ローカル通信とは、特定の領域で可能な通信を意味し、移動通信は位置に制限されずにどこででも可能な通信を意味する。
【００６３】
例えば、移動端末機２００が接続中継機１０と近接した位置に位置する場合、移動端末機２００はユーザーの選択により接続中継機１０に接続することができる。この時、移動端末機２００はローカル通信を通じて接続中継機１０と通信することができる。さらに、移動端末機２００は接続中継機１０を通じて電子装置１００と通信したり、接続中継機１０を通じて広域ネットワークＷＡＮに接続することができる。換言すると、移動端末機２００はローカル通信を通じて電子装置１００とデータをやり取りすることができ、広域ネットワークＷＡＮに接続されたサーバー装置１とデータをやり取りすることができる。
【００６４】
他の例として、移動端末機２００が接続中継機１０と遠く離れた場合、移動端末機２００はユーザーの選択により基地局ＳＴに接続することができる。この時、移動端末機２００は移動通信を通じて基地局ＳＴと通信することができ、基地局ＳＴを通じて広域ネットワークＷＡＮに接続することができる。また、移動端末機２００は広域ネットワークＷＡＮに接続されたサーバー装置１および接続中継機１０を通じて、電子装置１００とも通信することができる。換言すると、移動端末機２００は移動通信を通じて電子装置１００とデータをやり取りすることができ、サーバー装置１とデータをやり取りすることができる。
【００６５】
サーバー装置１は広域ネットワークＷＡＮに連結され、電子装置１００および移動端末機２００に多様なサービスを提供することができる。例えば、サーバー装置１は広域ネットワークＷＡＮに接続された電子装置１００と移動端末機２００との間の通信を中継することができる。
【００６６】
前述したように、移動端末機２００が接続中継機１０と近接した位置に位置する場合、移動端末機２００は接続中継機１０を通じて電子装置１００と通信することができる。
【００６７】
しかし、移動端末機２００が接続中継機１０から離れて位置した場合、移動端末機２００は基地局ＳＴを通じて広域ネットワークＷＡＮに接続することができ、広域ネットワークＷＡＮを通じて電子装置１００と通信することができる。
【００６８】
移動端末機２００がローカルネットワークＬＡＮに接続した場合、接続中継機１０が移動端末機２００と電子装置１００との間の通信を中継することができる。その反面、移動端末機２００が直接広域ネットワークＷＡＮで接続した場合、サーバー装置１が移動端末機２００と電子装置１００との間の通信を中継することができる。
【００６９】
例えば、ユーザーが移動端末機２００を通じて制御命令を入力すると、入力された制御命令は広域ネットワークＷＡＮを通じてサーバー装置１に伝送され、サーバー装置１によって処理されて、広域ネットワークＷＡＮを通じてサーバー装置１から電子装置１００に伝送され得る。
【００７０】
このように、移動端末機２００と電子装置１００との間の通信を中継するために、サーバー装置１は広域ネットワークＷＡＮ上で移動端末機２００の住所（例えば、ＩＰ  ａｄｄｒｅｓｓ）および電子装置１００の住所（例えば、ＩＰ  ａｄｄｒｅｓｓ）を保存することができる。
【００７１】
それだけでなく、移動端末機２００と電子装置１００が接続中継機１０に連結された場合にも、サーバー装置１は広域ネットワークＷＡＮ上で移動端末機２００と電子装置１００との間の通信を中継することができる。換言すると、移動端末機２００と電子装置１００が接続中継機１０に連結された場合、移動端末機２００と電子装置１００はサーバー装置１を通じて通信することができる。これは、サーバー装置１が移動端末機２００の住所（例えば、ＩＰ  ａｄｄｒｅｓｓ）および電子装置１００の住所（例えば、ＩＰ  ａｄｄｒｅｓｓ）をいずれも管理するためである。
【００７２】
以上では、ホームネットワークの構成を説明した。
【００７３】
以下では、ホームネットワークを構成する電子装置１００および移動端末機２００の構成およびその動作を説明する。
【００７４】
図２は、一実施例による電子装置の構成を図示する。
【００７５】
図２に図示されたように、電子装置１００は、入力部１２０、表示部１３０、感知部１４０、動作部１５０、保存部１６０、通信部１７０および制御部１１０を含むことができる。
【００７６】
入力部１２０はユーザーからユーザー入力を受けるボタンモジュール１２１を含むことができる。
【００７７】
ボタンモジュール１２１は、あらかじめ定められたユーザー入力を受ける複数のボタンを含むことができる。
【００７８】
また、ボタンモジュール１２１は、プッシュボタン、ダイヤル、タッチセンサーなどの多様な形態のボタンを含むことができる。
【００７９】
表示部１３０は、ユーザー入力による設定値を表示したり電子装置１００の動作を表示するディスプレイパネル１３１およびインジケーター１３２を含むことができる。
【００８０】
ディスプレイパネル１３１は、電気的信号を光学的信号に変換する液晶ディスプレイ（Ｌｉｑｕｉｄ  Ｃｒｙｓｔａｌ  Ｄｉｓｐｌａｙ、ＬＣＤ）パネル、発光ダイオード（Ｌｉｇｈｔ  Ｅｍｉｔｔｉｎｇ  Ｄｉｏｄｅ）パネルなどを含むことができる。
【００８１】
インジケーター１３２は、電気的信号を光学的信号に変換する発光ダイオード（Ｌｉｇｈｔ  Ｅｍｉｔｔｉｎｇ  Ｄｉｏｄｅ）を含むことができる。
【００８２】
感知部１４０は電子装置１００の外部環境または電子装置１００の内部状態などを感知し、動作部１５０は電子装置１００の固有のサービスを提供することができる。
【００８３】
保存部１６０は、電子装置１００の動作を制御するための制御プログラムおよび制御データを保存することができる。特に、接続中継機１０の識別情報（例えば、接続中継機の識別子、Ｓｅｒｖｉｃｅ  Ｓｅｔ  Ｉｄｅｎｔｉｆｉｅｒ、ＳＳＩＤ）および認証情報（例えば、ｐａｓｓｗｏｒｄ）が獲得されると、保存部１６０は接続中継機１０の識別情報および認証情報を保存することができる。
【００８４】
このような保存部１６０は、電源が遮断されてもプログラムまたはデータが失われない不揮発性メモリーを含むことができる。例えば、保存部１６０は大容量フラッシュメモリまたは半導体素子ドライブ（Ｓｏｌｉｄ  Ｓｔａｔｅ  Ｄｒｉｖｅ、ＳＳＤ）１６１等を含むことができる。
【００８５】
通信部１７０は外部装置と近い地域内で無線信号をやり取りすることができるローカル通信モジュール（ｌｏｃａｌ  ａｒｅａ  ｃｏｍｍｕｎｉｃａｔｉｏｎ  ｍｏｄｕｌｅ）１７１を含むことができる。
【００８６】
ローカル通信モジュール１７１は、無線信号を利用して移動端末機２００および／または接続中継機１０とデータを送受信することができる。換言すると、ローカル通信モジュール１７１は送信データを含む無線信号を移動端末機２００および／または接続中継機１０に送信し、受信データを含む無線信号を移動端末機２００および／または接続中継機１０から受信することができる。
【００８７】
このように無線で通信するローカル通信モジュール１７１は、自由空間に無線信号を送信したり自由空間から無線信号を受信するアンテナ、送信するデータを変調したり受信された無線信号を復調する変調器／復調器（ｍｏｄｕｌａｔｏｒ／ｄｅｍｏｄｕｌａｔｏｒ）、送信するデータを符号化したり受信されたデータを復号する符号化器／復号化器（ｅｎｃｏｄｅｒ／ｄｅｃｏｄｅｒ）等を含むことができる。
【００８８】
また、データの通信対象と無線信号の通信対象とは互いに異なり得る。換言すると、無線信号が伝送される目標装置とデータが伝送される目標装置とは互いに異なり得る。
【００８９】
例えば、ローカル通信モジュール１７１は無線で接続中継機１０に無線信号を送信することができる。この時、無線信号に含まれたデータは接続中継機１０を通じてサーバー装置１まで伝送され得る。また、サーバー装置１から電子装置１００に送信されるデータは接続中継機１０で無線信号に変調され得、ローカル通信モジュール１７１は接続中継機１０からデータが含まれた無線信号を受信することができる。
【００９０】
このようなローカル通信モジュール１７１は、Ｗｉ−Ｆｉ（Ｗｉ−ＦｉＴＭ、ＩＥＥＥ  ８０２．１１）、ブルートゥース（Ｂｌｕｅｔｏｏｔｈ、ＩＥＥＥ  ８０２．１５．１）、ジグビー（Ｚｉｇｂｅｅ、ＩＥＥＥ  ８０２．１５．４）等の無線通信標準を利用して接続中継機１０と無線信号をやり取りすることができる。
【００９１】
また、ローカル通信モジュール１７１は、接続中継機１０に接続するために二つのモードで動作することができる。具体的には、ローカル通信モジュール１７１は外部装置（例えば、移動端末機）から接続中継機１０の情報を獲得する第１モード、第１モードで獲得した接続中継機１０の情報に基づいて接続中継機１０に接続する第２モードで動作することができる。
【００９２】
第１モードと第２モードでのローカル通信モジュール１７１の動作は後述される。
【００９３】
また、図面には図示されていないが、通信部１７０は有線でデータを送受信できる有線通信モジュールを含むことができる。このような有線通信モジュールは、イーサネット（Ｅｔｈｅｒｎｅｔ、ＩＥＥＥ  ８０２．３）、ＵＳＢ（Ｕｎｉｖｅｒｓａｌ  Ｓｅｒｉａｌ  Ｂｕｓ）等の有線通信標準を利用して移動端末機２００および／または接続中継機１０と通信することができる。
【００９４】
制御部１１０は、前述した入力部１２０、表示部１３０、感知部１４０、動作部１５０、保存部１６０および通信部１７０の動作を制御することができる。
【００９５】
例えば、制御部１１０は移動端末機２００とデータをやり取りするために、接続中継機１０と無線信号をやり取りするように通信部１７０を制御することができる。
【００９６】
また、制御部１１０は通信部１７０を通じて受信した制御命令にしたがってユーザーにサービスを提供するように、感知部１４０と動作部１５０を制御することができる。
【００９７】
このような制御部１１０は、電子装置１００の動作を制御するための演算を遂行するプロセッサ１１１、プロセッサ１１１の演算動作に関連したプログラムおよびデータを保存／記憶するメモリー１１２を含むことができる。
【００９８】
プロセッサ１１１は、メモリー１１２に保存／記憶されたプログラムによりメモリー１１２に保存／記憶されたデータを読み込み、読み込んだデータに対して算術演算または論理演算を遂行することができる。また、プロセッサ１１１は算術演算または論理演算の結果をメモリー１１２に出力することができる。
【００９９】
メモリー１１２は電源の供給が中断されると記憶されたデータを喪失する揮発性メモリーを含むことができる。
【０１００】
揮発性メモリーは前述した保存部１６０からプログラムおよびデータを読み込み、読み込んだデータを一時記憶することができる。また、揮発性メモリーは記憶されたプログラムおよびデータをプロセッサ１１１に提供することができ、プロセッサ１１１から出力されたデータを記憶することができる。
【０１０１】
このような揮発性メモリーは、Ｓラム（Ｓｔａｔｉｃ  Ｒａｎｄｏｍ  Ａｃｃｅｓｓ  Ｍｅｍｏｒｙ、Ｓ−ＲＡＭ）、Ｄラム（Ｄｙｎａｍｉｃ  Ｒａｎｄｏｍ  Ａｃｃｅｓｓ  Ｍｅｍｏｒｙ、Ｄ−ＲＡＭ）などを含むことができる。
【０１０２】
また、メモリー１１２は必要に応じて不揮発性メモリーを含むことができる。不揮発性メモリーは、電源の供給が中断されると記憶されたデータを保存することができる。メモリー１１２に含まれた不揮発性メモリーは、電子装置１００に含まれた各種の構成を管理し初期化させるためのファームウェア（ｆｉｒｍｗａｒｅ）を保存することができる．このような不揮発性メモリーは、ロム（Ｒｅａｄ  Ｏｎｌｙ  Ｍｅｍｏｒｙ）、イーピーロム（Ｅｒａｓａｂｌｅ  Ｐｒｏｇｒａｍｍａｂｌｅ  Ｒｅａｄ  Ｏｎｌｙ  Ｍｅｍｏｒｙ：ＥＰＲＯＭ）、イーイーピーロム（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ：ＥＥＰＲＯＭ）、フラッシュメモリなどを含むことができる。
【０１０３】
プロセッサ１１１とメモリー１１２は機能的に区別されて説明されたが、プロセッサ１１１とメモリー１１２は必ずしも物理的に区別されるものではない。例えば、プロセッサ１１１とメモリー１１２は別途のチップで具現され得るだけでなく、一つのチップで具現されてもよい。
【０１０４】
それだけでなく、制御部１１０、保存部１６０および通信部１７０が機能的に区別されて説明されたが、制御部１１０、保存部１６０および通信部１７０は必ずしも物理的に区別されるものではない。
【０１０５】
例えば、制御部１１０、保存部１６０および通信部１７０のそれぞれが別途のチップで具現されてもよく、制御部１１０と保存部１６０が一つのチップで具現され、通信部１７０は別途のチップで具現されてもよい。また、制御部１１０と通信部１７０が一つのチップで具現され、保存部１６０は別途のチップで具現されてもよく、制御部１１０、保存部１６０および通信部１７０が統合された一つのチップで具現されてもよい。
【０１０６】
図３および図４は、一実施例による電子装置に含まれた通信パートの動作モードを図示する。
【０１０７】
前述したように、電子装置１００は第１モードと第２モードで動作することができる。
【０１０８】
第１モードで、電子装置１００は移動端末機２００等の外部装置から接続中継機１０の情報を獲得することができる。
【０１０９】
電子装置１００が特定の接続中継機１０に接続するために、接続中継機１０の識別情報および認証情報が要求される。しかし、電子装置１００はユーザーから接続中継機１０の識別情報および認証情報の入力を受けるための入力手段を含んでいないこともある。換言すると、電子装置１００に含まれたボタンモジュール１２１は、ユーザーからあらかじめ定められた制御命令の入力を受けることができるだけであり、ユーザーから文字、数字または記号などの入力を受けることは困難であり得る。
【０１１０】
このような理由で、電子装置１００は第１モードで通信を通じて移動端末機２００等の外部装置から接続中継機１０の識別情報および認証情報を受信することができる。
【０１１１】
また、移動端末機２００等の外部装置から接続中継機１０の識別情報および認証情報を獲得するために、電子装置１００は外部装置に自分の存在を知らせることができる。
【０１１２】
具体的には、第１モードで電子装置１００は通信部１７０を通じて広告信号を放送することができる。換言すると、第１モードで通信部１７０は不特定対象に一方的に広告信号を送出することができる。この時、広告信号は電子装置１００を識別できる電子装置１００の識別情報を含むことができる。
【０１１３】
このような広告信号は外部装置によって受信されないか受信され得る。換言すると、広告信号を受信する装置が特定されていないので、広告信号を受信する装置が存在することもあれば、存在しないこともある。
【０１１４】
広告信号を受信した外部装置は、必要に応じて電子装置１００に通信を要請する通信要請を伝送することができる。また、外部装置の通信要請を受信した電子装置１００は外部装置の通信要請を受諾することができ、以後電子装置１００と外部装置との間の通信が確立され得る。
【０１１５】
例えば、ローカル通信モジュール１７１がＷｉ−Ｆｉ通信標準に沿って通信する場合、ローカル通信モジュール１７１は２．４ＧＨｚ（Ｇｉｇａ  Ｈｅｒｔｚ）の周波数帯域または５ＧＨｚの周波数帯域で通信することができ、第１モードはＡＰモード（Ａｃｃｅｓｓ  Ｐｏｉｎｔ  Ｍｏｄｅ）を意味する。ＡＰモードの通信モジュール１７１は、図３に図示されたように、２．４ＧＨｚの周波数帯域または５ＧＨｚの周波数帯域で広告信号を放送することができる。この時、広告信号は電子装置１００のサブシステム識別子を含むことができる。
【０１１６】
万一、移動端末機２００が電子装置１００の広告信号を受信した場合、移動端末機２００は電子装置１００に通信要請を伝送することができ、電子装置１００は移動端末機２００の通信要請に対して応答することができる。
【０１１７】
以後、電子装置１００は移動端末機２００に対して認証を要請することができ、電子装置１００の認証要請に応答して移動端末機２００は認証情報を電子装置１００に伝送することができる。
【０１１８】
移動端末機２００が認証されると、電子装置１００と移動端末機２００との間にはＷｉ−Ｆｉ通信標準に沿って通信が確立される。
【０１１９】
このように、電子装置１００と移動端末機２００との間の通信が確立された後、電子装置１００は移動端末機２００から接続中継機１０の識別情報および認証情報を獲得することができる。
【０１２０】
第２モードで、電子装置１００は接続中継機１０に接続することができる。具体的には、電子装置１００は第１モードで獲得した接続中継機１０の識別情報および認証情報を利用して接続中継機１０に接続することができる。
【０１２１】
また、接続中継機１０に接続するために、電子装置１００は接続中継機１０を検索することができる。
【０１２２】
具体的には、第２モードで電子装置１００は外部装置から放送された広告信号を通信部１７０を通じて検索することができる。換言すると、第２モードで通信部１７０は不特定通信対象に対して送出された広告信号を受信することができる。
【０１２３】
広告信号を受信した電子装置１００は、広告信号を放送した外部装置に対して通信を要請する通信要請を伝送することができる。また、電子装置１００の通信要請を受信した外部装置が通信要請を受諾した場合、電子装置１００と外部装置との間の通信が確立され得る。
【０１２４】
例えば、ローカル通信モジュール１７１がＷｉ−Ｆｉ通信標準を利用して通信する場合、第２モードはＳＴＡモード（ｓｔａｔｉｏｎ  ｍｏｄｅ）を意味する。ＳＴＡモードで電子装置１００は、図４に図示されたように、接続中継機１０から放送された広告信号を受信することができる。この時、広告信号は接続中継機１０のサブシステム識別子を含むことができる。
【０１２５】
広告信号を受信した電子装置１００は広告信号に含まれた接続中継機１０のサブシステム識別子と第１モードで獲得した識別情報とを比較することができる。また、広告信号に含まれた接続中継機１０の識別子と第１モードで獲得した識別情報とが一致すると、広告信号を放送した接続中継機１０に通信要請を伝送することができる。また、接続中継機１０は電子装置１００の通信要請に対して応答することができる。
【０１２６】
以後、接続中継機１０は電子装置１００に対して認証を要請することができ、接続中継機１０の認証要請に応答して電子装置１００は、第１モードで獲得した認証情報を接続中継機１０に伝送することができる。
【０１２７】
電子装置１００が認証されると、電子装置１００と接続中継機１０との間にはＷｉ−Ｆｉ通信標準に沿って通信が確立される。
【０１２８】
このように、電子装置１００は移動端末機２００から獲得した識別情報および認証情報を利用して接続中継機１０に接続することができる。
【０１２９】
第１モードで電子装置１００は、移動端末機２００から接続中継機１０の識別情報および認証情報を獲得するために広告信号を送出することができる。また、第２モードで電子装置１００は接続中継機１０の広告信号を検索し、接続中継機１０の識別情報および認証情報を利用して接続中継機１０に接続することができる。このように、第１モードでの電子装置１００は情報を提供するサーバーのように動作することができ、第２モードで電子装置１００はサーバーに接続するクライアントのように動作することができる。
【０１３０】
また、電子装置１００は第１モードと第２モードのうちいずれか一つのモードで動作することができる。具体的には、ユーザーの制御命令またはあらかじめ定められた条件が満足されると、電子装置１００は第１モードから第２モードに切り換えたり、第２モードから第１モードに切り換えることができる。
【０１３１】
それだけでなく、電子装置１００は同時に第１モードと第２モードで動作することができる。例えば、時間を一定の間隔で分割し、分割した時間にしたがって電子装置１００は第１モードと第２モードに交互に動作することができる。換言すると、電子装置１００は時間を第１時間間隔と第２時間間隔に分割し、第１時間間隔の間に第１モードで動作し、第２時間間隔の間に第２モードで動作することができる。
【０１３２】
下記では、電子装置１００の第１モードと第２モードの間のモード切り換えを説明する。
【０１３３】
図５ａは、一実施例による電子装置の動作を図示する。図５ａを参照して電子装置１００の動作（１０００）を説明する。
【０１３４】
電子装置１００に電源が供給される（１０１０）。
【０１３５】
電子装置１００に電源が供給されることは、電子装置１００のプラグが常用電源が供給されるソケットに挿入されること（以下「プラグ−イン」という）またはプラグ−イン状態でユーザーの電源の供給命令（例えば、ユーザーが電源ボタンを押す。）が入力されることを含み得る。換言すると、プラグ−インによって電子装置１００に電源が供給されるか、プラグ−イン状態でユーザーが電源ボタンを押すと電子装置１００に電源が供給され得る。
【０１３６】
以後、電子装置１００は接続中継機１０に接続可能であるかを判断する（１０２０）。
【０１３７】
前述したように、電子装置１００は接続中継機１０を通じて広域ネットワークＷＡＮに接続し、サーバー装置１とデータをやり取りすることができる。このように、サーバー装置１とのデータ送受信のために、電子装置１００は接続中継機１０に接続する必要がある。
【０１３８】
この時、電子装置１００が接続中継機１０に接続するためには、接続中継機１０の識別情報および認証情報が要求される。
【０１３９】
電子装置１００は、保存部１６０に接続中継機１０の識別情報および認証情報が保存されているか否かに基づいて接続中継機１０に接続可能であるかを判断することができる。
【０１４０】
例えば、保存部１６０に接続中継機１０の識別情報および認証情報が保存されていると、電子装置１００は接続中継機１０に接続可能であるものと判断することができる。
【０１４１】
その反面、保存部１６０に接続中継機１０の識別情報および認証情報が保存されていないと、電子装置１００は接続中継機１０に接続できないものと判断することができる。
【０１４２】
接続中継機１０に接続可能であれば（１０２０の「はい」）、電子装置１００は第２モードで動作する（１０６０）。
【０１４３】
接続中継機１０に接続可能であれば、電子装置１００は接続する接続中継機１０を検索するために第２モードで動作することができる。第２モードで電子装置１００は、接続中継機１０から放送される広告信号を検索することができる。例えば、ＳＴＡモードで電子装置１００は、接続中継機１０から送出される広告信号を検索することができる。
【０１４４】
また、広告信号が発見されると、電子装置１００は保存部１６０に保存された識別情報および認証情報を利用して接続中継機１０に接続することができる。例えば、広告信号が発見されると、電子装置１００は広告信号に含まれた識別子と保存部１６０に保存された識別情報とを比較し、比較結果にしたがって接続中継機１０に通信要請を伝送することができる。
【０１４５】
以後、接続中継機１０の認証要請に応答して電子装置１００は保存部１６０に保存された認証情報を接続中継機１０に伝送することができ、認証が完了すると電子装置１００は接続中継機１０に接続される。
【０１４６】
接続中継機１０に接続が可能でなければ（１０２０の「いいえ」）、電子装置１００は第１モードで動作する（１０３０）。
【０１４７】
保存部１６０に接続中継機１０の識別情報および認証情報が保存されていないと、電子装置１００は接続中継機１０の識別情報および認証情報を獲得するために移動端末機２００と直接通信することができる。
【０１４８】
移動端末機２００と直接通信するために、電子装置１００は電子装置１００と関連した情報が含まれた広告信号を送出することができる。換言すると、電子装置１００は不特定対象に一方的に広告信号を送出することができる。
【０１４９】
例えば、Ｗｉ−Ｆｉ通信標準に沿って電子装置１００はＡＰモードで動作することができ、ＡＰモードで広告信号を放送することができる。この時、広告信号は電子装置１００のサブシステム識別子を含むことができる。
【０１５０】
以後、電子装置１００は接続中継機１０の情報を獲得したかを判断する（１０４０）。
【０１５１】
移動端末機２００が電子装置１００の広告信号を受信すると、移動端末機２００は電子装置１００に通信を要請する通信要請を伝送することができる。また、電子装置１００は移動端末機２００の外部装置の通信要請を受諾すると、電子装置１００と外部装置との間の通信が確立され得る。
【０１５２】
電子装置１００と移動端末機２００との間の通信が確立された後、電子装置１００は移動端末機２００から接続中継機１０の識別情報および認証情報を受信することができる。
【０１５３】
その反面、電子装置１００の広告信号を受信する移動端末機２００がないか、移動端末機２００が接続中継機１０の識別情報および認証情報を保存しないと、電子装置１００は接続中継機１０の識別情報および認証情報を獲得することができないこともある。
【０１５４】
接続中継機１０の情報が獲得されると（１０４０の「はい」）、電子装置１００は第１モードから第２モードに切り換える（１０６０）。
【０１５５】
接続中継機１０の識別情報および認証情報が獲得されると、電子装置１００は接続する接続中継機１０と通信するために、第２モードに切り換えることができる。第２モードで電子装置１００は接続中継機１０から放送される広告信号を検索することができる。例えば、ＳＴＡモードで電子装置１００は接続中継機１０から送出される広告信号を検索することができる。
【０１５６】
また、広告信号が発見されると、電子装置１００は移動端末機２００から獲得した識別情報および認証情報を利用して接続中継機１０に接続することができる。例えば、広告信号が発見されると、電子装置１００は広告信号に含まれた識別子と移動端末機２００から獲得した識別情報とを比較し、比較結果にしたがって接続中継機１０に通信要請を伝送することができる。
【０１５７】
以後、接続中継機１０の認証要請に応答して電子装置１００は移動端末機２００から獲得した認証情報を接続中継機１０に伝送することができ、認証が完了すると電子装置１００は接続中継機１０に接続される。
【０１５８】
接続中継機１０の情報が獲得されないと（１０４０の「いいえ」）、電子装置１００は接続中継機１０の情報獲得を待機した待機時間があらかじめ定められた基準時間よりも大きいかを判断する（１０５０）。
【０１５９】
待機時間が基準時間より大きくないと（１０５０の「いいえ」）、電子装置１００は第１モードでの動作を継続する。換言すると、電子装置１００は広告信号を放送することを継続する。
【０１６０】
待機時間が基準時間より大きいと（１０５０の「はい」）、電子装置１００は第２モードに切り換える（１０６０）。
【０１６１】
基準時間を超過して移動端末機２００が電子装置１００に接続されないと、ユーザーが通信を利用した電子装置１００のサービスを所望していないと予想することができる。
【０１６２】
したがって、電子装置１００は接続中継機１０の識別情報および認証情報を獲得するために第１モードを終了し、第２モードに切り換えることができる。
【０１６３】
この時、電子装置１００は接続中継機１０の識別情報および認証情報を獲得できなかったので、第２モードで電子装置１００は接続中継機１０に接続することができないこともある。
【０１６４】
このように、移動端末機２００から接続中継機１０の識別情報および認証情報を獲得するために、プラグ−インされるか、電源の供給命令が入力されると電子装置１００は第１モードで広告信号を出力することができる。また、接続中継機１０に接続するために、電子装置１００は第２モードに切り換えることができる。
【０１６５】
また、あらかじめ定められた時間内に接続中継機１０の識別情報および認証情報を獲得することができないと、電子装置１００は第２モードに切り換えることができる。
【０１６６】
図５ｂは、一実施例による電子装置の動作を図示する。図５ｂを参照して電子装置１００の動作（１８００）を説明する。
【０１６７】
電子装置１００はプラグ−インされる（１８１０）。
【０１６８】
ここで、プラグ−インは、電子装置１００のプラグが常用電源が供給されるソケットに挿入されることを意味する。また、プラグ−インによって電子装置１００に電源が供給され得る。
【０１６９】
プラグ−インされると、電子装置１００は第１モードで動作する（１８２０）。
【０１７０】
電子装置１００は、接続中継機１０の識別情報および認証情報を獲得するために移動端末機２００と直接通信することができる。移動端末機２００と直接通信するために、電子装置１００は電子装置１００と関連した情報が含まれた広告信号を送出することができる。換言すると、電子装置１００は不特定対象に一方的に広告信号を送出することができる。
【０１７１】
例えば、Ｗｉ−Ｆｉ通信標準に沿って電子装置１００はＡＰモードで動作することができ、ＡＰモードで広告信号を放送することができる。この時、広告信号は電子装置１００のサブシステム識別子を含むことができる。
【０１７２】
以後、電子装置１００は接続中継機１０の情報を獲得したかを判断する（１８３０）。
【０１７３】
移動端末機２００が電子装置１００の広告信号を受信すると、移動端末機２００は電子装置１００に通信を要請する通信要請を伝送することができる。また、電子装置１００は移動端末機２００の外部装置の通信要請を受諾すると、電子装置１００と外部装置との間の通信が確立され得る。
【０１７４】
以後、電子装置１００は移動端末機２００から接続中継機１０の識別情報および認証情報を受信することができる。
【０１７５】
その反面、電子装置１００の広告信号を受信する移動端末機２００がないか、移動端末機２００が接続中継機１０の識別情報および認証情報を保存しないと、電子装置１００は接続中継機１０の識別情報および認証情報を受信することができないこともある。
【０１７６】
接続中継機１０の情報が獲得されると（１２３０の「はい」）、電子装置１００は第１モードから第２モードに切り換える（１８４０）。
【０１７７】
接続中継機１０の識別情報および認証情報が獲得されると、電子装置１００は接続する接続中継機１０と通信するために第２モードに切り換えることができる。第２モードで電子装置１００は、接続中継機１０から放送される広告信号を検索することができる。例えば、ＳＴＡモードで電子装置１００は、接続中継機１０から送出される広告信号を検索することができる。
【０１７８】
また、広告信号が発見されると、電子装置１００は移動端末機２００から獲得した識別情報および認証情報を利用して接続中継機１０に接続することができる。例えば、広告信号が発見されると、電子装置１００は広告信号に含まれた識別子と移動端末機２００から獲得した識別情報とを比較し、比較結果にしたがって接続中継機１０に通信要請を伝送することができる。
【０１７９】
接続中継機１０の情報が獲得されないと（１２３０の「いいえ」）、電子装置１００は第１モードでの動作を継続する。換言すると、電子装置１００は広告信号を放送することを継続する。
【０１８０】
このように、プラグ−インされた電子装置１００は接続中継機１０の識別情報および認証情報を獲得するまで第１モードで広告信号を出力することができる。
【０１８１】
以上では、電子装置の構成および動作を説明した。
【０１８２】
以下では、移動端末機の構成および動作を説明する。
【０１８３】
図６は、一実施例による移動端末機の構成を図示する。
【０１８４】
図６に図示されたように、移動端末機２００は、ユーザーインタフェース２２０、感知部２３０、音響部２４０、映像部２５０、保存部２６０、通信部２７０および制御部２１０を含むことができる。
【０１８５】
ユーザーインタフェース２２０はユーザーと相互作用することができる。例えば、ユーザーインタフェース２２０はユーザーからユーザー入力を受けて、入力されたユーザー入力による情報を表示することができる。
【０１８６】
また、ユーザーインタフェース２２０は、ユーザーからあらかじめ定められたユーザー入力を受信するボタンモジュール２２１、ユーザーのタッチ入力を受信し、受信したタッチ入力に対応する情報を表示するタッチスクリーンモジュール２２２を含むことができる。
【０１８７】
タッチスクリーンモジュール２２２はユーザーからタッチ入力を受信し、受信したタッチ入力に対応する映像を表示することができる。
【０１８８】
タッチスクリーンモジュール２２２は、ユーザーのタッチ入力を受信するために抵抗膜（ｒｅｓｉｓｔｉｖｅ）タッチパネル、静電容量（ｃａｐａｃｉｔｉｖｅ）タッチパネルなどを含むことができ、情報を視覚的に表示するために液晶ディスプレイ（Ｌｉｑｕｉｄ  Ｃｒｙｓｔａｌ  Ｄｉｓｐｌａｙ、ＬＣＤ）パネル、発光ダイオード（Ｌｉｇｈｔ  Ｅｍｉｔｔｉｎｇ  Ｄｉｏｄｅ）パネルなどを含むことができる。
【０１８９】
感知部２３０は、移動端末機２００の外部環境または移動端末機２００の内部状態などを感知することができる。
【０１９０】
音響部２４０は、音響信号を受信するマイク２４１および音響信号を出力するスピーカー２４２を含むことができる。
【０１９１】
映像部２５０は移動端末機２００の前方または後方の映像を獲得するカメラ２５１を含むことができる。カメラ２５１は光学信号を電気的信号（映像データ）に変換できる映像センサーを含むことができる。
【０１９２】
保存部２６０は、移動端末機２００の動作を制御するための制御プログラムおよび制御データおよびユーザー入力により多様な機能を遂行する多様なアプリケーションプログラムおよびアプリケーションデータを保存することができる。
【０１９３】
例えば、保存部２６０は移動端末機２００によって管理／制御される電子装置１００に関する情報を保存することができる。
【０１９４】
このような保存部２６０は、電源が遮断されてもプログラムまたはデータが失われない不揮発性メモリーを含むことができる。例えば、保存部２６０は大容量フラッシュメモリまたは半導体素子ドライブ２６１等を含むことができる。
【０１９５】
通信部２７０は外部装置とローカルで通信できるローカル通信モジュール２７１、空間に制約を受けずにどこでも外部装置と通信できる移動通信モジュール２７２を含むことができる。
【０１９６】
ローカル通信モジュール２７１は無線信号を利用して電子装置１００および／または接続中継機１０とデータを送受信することができる。換言すると、ローカル通信モジュール２７１は送信データを含む無線信号を電子装置１００および／または接続中継機１０に送信し、受信データを含む無線信号を電子装置１００および／または接続中継機１０から受信することができる。
【０１９７】
このように無線で信号を送受信するローカル通信モジュール２７１は、自由空間に無線信号を送信したり自由空間から無線信号を受信するアンテナ、送信するデータを変調したり受信した無線信号を復調する変調器／復調器などを含むことができる。
【０１９８】
また、データの通信対象と無線信号の通信対象とは互いに異なり得る。
換言すると、無線信号が伝送される目標装置とデータが伝送される目標装置とは互いに異なり得る。
【０１９９】
例えば、ローカル通信モジュール２７１は無線で接続中継機１０に無線信号を送信することができる。この時、無線信号に含まれたデータは、接続中継機１０を通じてサーバー装置１まで伝送され得る。また、サーバー装置１から移動端末機２００に送信されるデータは接続中継機１０で無線信号に変調され得、ローカル通信モジュール２７１は接続中継機１０からデータが含まれた無線信号を受信することができる。
【０２００】
このようなローカル通信モジュール２７１は、Ｗｉ−Ｆｉ、ブルートゥース、ジグビーなどの無線通信標準を利用して接続中継機１０に無線信号を伝送し、接続中継機１０から無線信号を受信することができる。
【０２０１】
移動通信モジュール２７２は無線信号を利用して基地局（ＳＴ、図１参照）とデータを送受信することができる。換言すると、移動通信モジュール２７２は送信データを含む無線信号を基地局（ＳＴ、図１参照）に送信し、受信データを含む無線信号を基地局（ＳＴ、図１参照）から受信することができる。
【０２０２】
また、基地局（ＳＴ、図１参照）は無線通信サービス提供地域内に均一に分布するため、無線通信サービス提供地域内では移動通信モジュール２７２と基地局（ＳＴ、図１参照）との間の通信が断絶されない。
【０２０３】
このように無線で通信する移動通信モジュール２７２は、自由空間に無線信号を送信したり自由空間から無線信号を受信するアンテナ、送信するデータを変調したり受信した無線信号を復調する変調器／復調器、送信するデータを符号化したり受信したデータを復号する符号化器／復号化器（ｅｎｃｏｄｅｒ／ｄｅｃｏｄｅｒ）等を含むことができる。
【０２０４】
また、データの通信対象と無線信号の通信対象とは互いに異なり得る。
換言すると、無線信号が伝送される目標装置とデータが伝送される目標装置とは互いに異なり得る。
【０２０５】
例えば、移動通信モジュール２７２は無線で基地局（ＳＴ、図１参照）に無線信号を送信することができる。この時、無線信号に含まれたデータは基地局（ＳＴ、図１参照）を通じてサーバー装置１まで伝送され得る。また、サーバー装置１から移動端末機２００に送信されるデータは基地局（ＳＴ、図１参照）で無線信号に変調され得、移動通信モジュール２７２は基地局（ＳＴ、図１参照）からデータが含まれた無線信号を受信することができる。
【０２０６】
このような移動通信モジュール２７２は時間分割多重接続（Ｔｉｍｅ  Ｄｉｖｉｓｉｏｎ  Ｍｕｌｔｉｐｌｅ  Ａｃｃｅｓｓ：ＴＤＭＡ）、符号分割多重接続（Ｃｏｄｅ  Ｄｉｖｉｓｉｏｎ  Ｍｕｌｔｉｐｌｅ  Ａｃｃｅｓｓ：ＣＤＭＡ）、広帯域符号分割多重接続（Ｗｉｄｅ  Ｃｏｄｅ  Ｄｉｖｉｓｉｏｎ  Ｍｕｌｔｉｐｌｅ  Ａｃｃｅｓｓ：ＷＣＤＭＡ（登録商標）、ＣＤＭＡ２０００（Ｃｏｄｅ  Ｄｉｖｉｓｉｏｎ  Ｍｕｌｔｉｐｌｅ  Ａｃｃｅｓｓ  ２０００）、ワイヤレスブロードバンド（Ｗｉｒｅｌｅｓｓ  Ｂｒｏａｄｂａｎｄ：Ｗｉｂｒｏ）、ワイマックス（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ）、ＬＴＥ（Ｌｏｎｇ  Ｔｅｒｍ  Ｅｖｏｌｕｔｉｏｎ：ＬＴＥ）、ワイヤレスブロードバンドエボリューション（Ｗｉｒｅｌｅｓｓ  Ｂｒｏａｄｂａｎｄ  Ｅｖｏｌｕｔｉｏｎ）等の通信標準を利用して基地局（ＳＴ、図１参照）と無線信号をやり取りすることができる。
【０２０７】
制御部２１０は、前述したユーザーインタフェース２２０、感知部２３０、音響部２４０、映像部２５０、保存部２６０および通信部２７０の動作を制御することができる。
【０２０８】
例えば、制御部２１０は電子装置１００とデータをやり取りするために、接続中継機１０と無線信号をやり取りするように通信部２７０を制御したり、基地局（ＳＴ、図１参照）と無線信号をやり取りするように通信部２７０を制御することができる。
【０２０９】
このような制御部２１０は、移動端末機２００の動作を制御するための演算を遂行するプロセッサ２１１、プロセッサ２１１の演算動作に関連したプログラムおよびデータを保存／記憶するメモリー２１２を含むことができる。
【０２１０】
プロセッサ２１１はメモリー２１２に保存／記憶されたプログラムによりメモリー２１２に保存／記憶されたデータを読み込み、読み込んだデータに対して算術演算または論理演算を遂行することができる。また、プロセッサ２１１は算術演算または論理演算の結果をメモリー２１２に出力することができる。
【０２１１】
メモリー２１２は電源の供給が中断されると記憶されたデータを喪失する揮発性メモリーを含むことができる。
【０２１２】
揮発性メモリーは、前述した保存部２６０からプログラムおよびデータを読み込み、読み込んだデータを一時記憶することができる。また、揮発性メモリーは記憶されたプログラムおよびデータをプロセッサ２１１に提供することができ、プロセッサ２１１から出力されたデータを記憶することができる。
【０２１３】
このような揮発性メモリーは、Ｓラム、Ｄラムなどを含むことができる。
【０２１４】
また、メモリー２１２は必要に応じて不揮発性メモリーを含むことができる。不揮発性メモリーは電源の供給が中断されると記憶されたデータを保存することができる。
【０２１５】
メモリー２１２に含まれた不揮発性メモリーは、移動端末機２００に含まれた各種の構成を管理して初期化させるためのファームウェア（ｆｉｒｍｗａｒｅ）を保存することができる。
【０２１６】
このような不揮発性メモリーは、ロム、イーピーロム、イーイーピーロム、フラッシュメモリなどを含むことができる。
【０２１７】
プロセッサ２１１とメモリー２１２は機能的に区別されて説明されたが、プロセッサ２１１とメモリー２１２は必ずしも物理的に区別されるものではない。例えば、プロセッサ２１１とメモリー２１２は別途のチップで具現されてもよく、一つのチップで具現されてもよい。
【０２１８】
それだけでなく、制御部２１０、保存部２６０および通信部２７０が機能的に区別されて説明されたが、制御部２１０、保存部２６０および通信部２７０は必ずしも物質的に区別されなくてもよい。
【０２１９】
例えば、制御部２１０、保存部２６０および通信部２７０のそれぞれが別途のチップで具現されてもよく、制御部２１０と保存部２６０が一つのチップで具現され、通信部２７０は別途のチップで具現されてもよい。また、制御部２１０と通信部２７０が一つのチップで具現され、保存部２６０は別途のチップで具現されたり、制御部２１０、保存部２６０および通信部２７０が統合された一つのチップで具現されてもよい。
【０２２０】
図７は、一実施例による移動端末機の動作を図示する。図７を参照して移動端末機２００の動作（１１００）を説明する。
【０２２１】
まず、移動端末機２００は電子装置１００を検索する（１１１０）。
【０２２２】
具体的には、移動端末機２００は電子装置１００から放送される広告信号を検索することができる。
【０２２３】
前述したように、移動端末機２００から接続中継機１０の情報を獲得するために、電子装置１００は第１モードで広告信号を放送することができる。この時、移動端末機２００は電子装置１００に接続中継機１０の情報を提供するために、電子装置１００の広告信号を検索することができる。
【０２２４】
移動端末機２００はローカル通信モジュール２７１を通じて無線信号を受信し、受信した無線信号を復調および復号化して無線信号に含まれたデータを復元することができる。以後、移動端末機２００は復元されたデータに基づいて電子装置１００から放送された広告信号であるかを判断することができる。
【０２２５】
以後、移動端末機２００は電子装置１００が発見されたかを判断する（１１２０）。
【０２２６】
移動端末機２００はローカル通信モジュール２７１を通じて受信した無線信号を受信し、受信した無線信号が電子装置１００の広告信号であるかを判断することができる。具体的には、移動端末機２００は保存部２６０に保存された電子装置１００の識別情報とローカル通信モジュール２７１を通じて受信した広告信号に含まれた識別情報とを比較し、二つの情報が一致すると移動端末機２００は電子装置１００を発見したと判断することができる。
【０２２７】
電子装置１００が発見されると、（１１２０の「はい」）、移動端末機２００は電子装置１００を選択する（１１３０）。
【０２２８】
一つの電子装置１００が発見されると、移動端末機２００は発見された電子装置１００を選択し、複数の電子装置が発見されると、移動端末機２００は広告信号の強度またはユーザーの選択により少なくとも一つの電子装置１００を選択することができる。
【０２２９】
移動端末機２００が複数の電子装置うち少なくとも一つの電子装置１００を選択する方法は後述される。
【０２３０】
以後、移動端末機２００は接続中継機１０の情報を獲得する（１１４０）。
【０２３１】
具体的には、移動端末機２００はユーザーインタフェース２２０にユーザーが接続中継機１０の識別情報および認証情報を入力できる画面を表示し、ユーザーの入力によりユーザーが接続中継機１０の識別情報および認証情報を獲得することができる。または移動端末機２００に接続中継機１０の識別情報および認証情報が保存されている場合（既に識別情報および認証情報を入力して接続中継機に接続していた場合）、移動端末機２００は保存部２６０から自動で接続中継機１０の識別情報と認証情報をローディングすることができ、ユーザーインタフェース２２０には接続中継機１０の識別情報と認証情報が自動で表示され得、ユーザーがこれを確認／修正することができる。
【０２３２】
また、移動端末機２００は、接続中継機１０の識別情報および認証情報を確認するために接続中継機１０に接続することができる。
【０２３３】
以後、移動端末機２００は電子装置１００に接続する（１１５０）。
【０２３４】
移動端末機２００は電子装置１００に通信要請を伝送し、電子装置１００が接続を受諾すると、移動端末機２００と電子装置１００との間の通信が確立される。
【０２３５】
以後、移動端末機２００は電子装置１００に接続中継機１０の情報を伝送する（１１６０）。
【０２３６】
移動端末機２００は、先に獲得した接続中継機１０の識別情報と認証情報をローカル通信モジュール２７１を通じて電子装置１００に送信することができる。
【０２３７】
以後、移動端末機２００は接続中継機１０に接続する（１１７０）。
【０２３８】
具体的には、移動端末機２００は電子装置１００との通信を終了し、接続中継機１０を検索することができる。換言すると、移動端末機２００は接続中継機１０から放送される広告信号を検索することができる。
【０２３９】
接続中継機１０は外部装置に自分の存在を知らせるために広告信号を放送する。したがって、移動端末機２００は接続中継機１０から放送される広告信号を検索することができる。
【０２４０】
移動端末機２００はローカル通信モジュール２７１を通じて無線信号を受信し、受信した無線信号を復調および復号化して無線信号に含まれたデータを復元することができる。以後、移動端末機２００は復元されたデータに基づいて接続中継機１０から放送された広告信号であるかを判断するすることができる。
【０２４１】
具体的には、移動端末機２００は、あらかじめ保存部２６０に保存された接続中継機１０の識別情報とローカル通信モジュール２７１を通じて受信した広告信号に含まれた情報とを比較し、二つの情報が一致すると移動端末機２００は接続中継機１０を発見したと判断することができる。
【０２４２】
接続中継機１０が発見されると、移動端末機２００は接続中継機１０に通信要請を伝送し、接続中継機１０が接続を受諾すると移動端末機２００と接続中継機１０との間の通信が確立される。
【０２４３】
また、電子装置１００の広告信号が発見されない場合（１１２０の「いいえ」）、移動端末機２００は接続中継機１０に接続する（１１７０）。
【０２４４】
以後、移動端末機２００は接続中継機１０を通じて電子装置１００と通信する（１１８０）。
【０２４５】
前述した電子装置１００の動作（１０００、図５）で説明された通り、接続中継機１０の識別情報と認証情報を獲得した電子装置１００は、接続中継機１０に接続することができる。
【０２４６】
移動端末機２００は接続中継機１０に接続された電子装置１００を検索し、電子装置１００との通信を試みることができる。
【０２４７】
例えば、移動端末機２００は接続中継機１０に接続された装置の検索を要請することができる。移動端末機２００の要請により接続中継機１０は接続された装置を検索し、検索結果を移動端末機２００に伝送することができる。移動端末機１０は接続中継機１０の検索結果に基づいて電子装置１００を検索することができ、電子装置１００が発見されると、接続中継機１０を通じて電子装置１００に通信を要請することができる。
【０２４８】
他の例として、接続中継機１０に接続した電子装置１００は。接続中継機１０を通じて広告信号を接続中継機１０に接続した装置に伝送することができる。電子装置１００の広告信号を受信した移動端末機２００は。接続中継機１０を通じて電子装置１００に通信を要請することができる。
【０２４９】
接続中継機１０を通じての電子装置１００との通信が確立された後、移動端末機２００は接続中継機１０を通じて電子装置１００と多様な情報をやり取りすることができる。
【０２５０】
このように、移動端末機２００は電子装置１００との直接通信を通じて電子装置１００に接続中継機１０の識別情報および認証情報を提供することができ、接続中継機１０を通じて電子装置１００と通信することができる。
【０２５１】
前述した説明では、移動端末機２００が一つの電子装置１００を発見することが仮定されたが、移動端末機２００は複数の電子装置１００を発見することができる。
【０２５２】
図８〜図１１は、一実施例による移動端末機が複数の電子装置うち少なくとも一つを選択する一例を図示した図面である。また、図１２は、一実施例による移動端末機が複数の電子装置に接続中継機の情報を放送する一例を図示した図面である。
【０２５３】
電子装置１００の広告信号が発見されると、移動端末機２００はユーザーまたは保存部２６０から接続中継機１０の情報を獲得し、電子装置１００に接続中継機１０の情報を伝送することができる。
【０２５４】
この時、複数の電子装置１００−１、１００−２、１００−３が同時に広告信号を放送することができる。
【０２５５】
例えば、図８に図示されたように、洗濯機１００−１が第１広告信号を放送し、冷蔵庫１００−２が第２広告信号を放送し、空気調和機１００−３が第３広告信号を放送する場合、移動端末機２００は第１、第２および第３広告信号をいずれも受信することができる。
【０２５６】
このように、複数のビーコンフレームが受信されると、移動端末機２００は多様な方法で複数の電子装置１００−１、１００−２、１００−３のうち少なくとも一つの電子装置１００を選択し、選択された電子装置１００に接続中継機１０の識別情報と認証情報を送信することができる。
【０２５７】
例えば、移動端末機２００は、受信した複数のビーコンフレームのうち信号の強度が最も大きいビーコンフレームを放送した電子装置１００に接続し、接続された電子装置１００に接続中継機１０の識別情報と認証情報を送信することができる。
【０２５８】
具体的には、複数のビーコンフレームが受信されると、移動端末機２００は複数のビーコンフレームの強度を測定し、最も強度の強い広告信号を伝送した電子装置を選択することができる。例えば、第３ビーコンフレームの強度が最も強い場合、移動端末機２００は空気調和機１００−３を選択することができる。
【０２５９】
以後、移動端末機２００は図９に図示されたように、選択された電子装置１００−３の発見を知らせるメッセージ２２２ａａおよび接続中継機１０の識別情報と認証情報を入力する入力領域２２２ａｂを含む第１通知画面２２２ａをタッチスクリーンモジュール２２２に表示することができる。
【０２６０】
ユーザーによって入力領域２２２ａｂに接続中継機１０の識別情報と認証情報が入力されると、移動端末機２００は選択された電子装置１００−３に通信要請を伝送することができる。また、移動端末機２００に識別情報と認証情報が保存された場合、入力領域２２２ａｂには接続中継機１０の識別情報と認証情報が自動で入力され得る。
【０２６１】
以後、選択された電子装置１００−３との通信が確立されると、移動端末機２００は選択された電子装置１００−３に接続中継機１０の識別情報と認証情報を伝送することができる。
【０２６２】
他の例として、移動端末機２００は、ユーザーから複数の電子装置１００−１、１００−２、１００−３のうち少なくとも一つが選択され、ユーザーによって選択された電子装置１００に接続して接続中継機１０の識別情報と認証情報を送信することができる。
【０２６３】
具体的には、移動端末機２００は複数の受信したビーコンフレームを介して複数の電子装置１００−１、１００−２、１００−３をそれぞれ識別することができる。
【０２６４】
以後、移動端末機２００は図１０に図示されたように、接続する電子装置の選択を要請するメッセージ２２２ｂａと電子装置１００−１、１００−２、１００−３を選択するための選択領域２２２ｂｂを含む第２通知画面２２１ｂをタッチスクリーンモジュール２２１に表示することができる。
【０２６５】
ユーザーが複数の電子装置１００−１、１００−２、１００−３のうちいずれか一つを選択すると、移動端末機２００は図９に図示されたように、接続中継機１０の識別情報と認証情報を入力する入力領域２２２ａｂを含む第１通知画面２２２ａをタッチスクリーンモジュール２２１に表示することができる。
【０２６６】
ユーザーによって入力領域２２２ａｂに接続中継機１０の識別情報と認証情報が入力されると、移動端末機２００は選択された電子装置１００に通信要請を伝送することができる。以後、選択された電子装置１００との通信が確立されると、移動端末機２００は空気調和機１００−３に
【０２６７】
また、ユーザーは、複数の電子装置１００−１、１００−２、１００−３のうち２以上の電子装置を選択することができる。２以上の電子装置が選択されると、移動端末機２００はユーザーから接続中継機１０の識別情報と認証情報の入力を受けて、選択された２以上の電子装置に順次接続中継機１０の識別情報と認証情報を伝送することができる。
【０２６８】
さらに他の例として、移動端末機２００は受信した複数のビーコンフレームのうち信号の強度が最も大きいビーコンフレームを放送した電子装置１００を仮選択し、ユーザーが電子装置１００を最終的に選択することができるようにすることができる。
【０２６９】
具体的には、複数のビーコンフレームが受信されると、移動端末機２００は複数のビーコンフレームの強度を測定し、最も強度の強いビーコンフレームを伝送した電子装置を選択することができる。例えば、第３ビーコンフレームの強度が最も強い場合、移動端末機２００は空気調和機１００−３を仮選択することができる。
【０２７０】
以後、移動端末機２００は図１１に図示されたように、選択された電子装置１００−３の発見を知らせるメッセージ２２２ｃａ、接続中継機１０の識別情報と認証情報を入力する入力領域２２２ｃｂおよび他の電子装置１００−１、１００−２、１００−３を選択できる選択領域２２２ｃｃを含む第３通知画面２２１ｃをタッチスクリーンモジュール２２１に表示することができる。
【０２７１】
ユーザーによって入力領域２２２ｃｂに接続中継機１０の識別情報と認証情報が入力されると、移動端末機２００は選択された電子装置１００−３に通信要請を送信し、空気調和機１００−３との通信が確立されると接続中継機１０の識別情報と認証情報を伝送することができる。
【０２７２】
その反面、ユーザーによって選択領域２２２ｃｃが選択されると、移動端末機２００は図１０に図示されたように、電子装置１００−１、１００−２、１００−３を選択するための選択領域２２２ｂｂを含む第２通知画面２２２ｂをタッチスクリーンモジュール２２２に表示することができる。
【０２７３】
ユーザーが複数の電子装置１００−１、１００−２、１００−３のうち少なくとも一つを選択すると、移動端末機２００は図１１に図示されたように、接続中継機１０の識別情報と認証情報を入力する入力領域２２２ｃｂを含む第３通知画面２２１ｃをタッチスクリーンモジュール２２１に再び表示することができる。
【０２７４】
以後、ユーザーによって入力領域２２２ｃｂに接続中継機１０の識別情報と認証情報が入力されると、移動端末機２００はユーザーによって選択された電子装置に通信要請を伝送することができる。以後、選択された電子装置１００−２との通信が確立されると、接続中継機１０の識別情報と認証情報を伝送することができる。
【０２７５】
さらに他の例として、複数の電子装置１００−１、１００−２、１００−３のビーコンフレームが検索されると、移動端末機２００は図１２に図示されたように、接続中継機の識別情報と認証情報をブロードキャスト（ｂｒｏａｄｃａｓｔ）方式で複数の電子装置１００−１、１００−２、１００−３に伝送することができる。この時、識別情報と認証情報はユーザーによってあらかじめ入力されるか、移動端末機２００に保存された認証情報を自動入力させることができる。
【０２７６】
以上で説明された通り、複数の電子装置１００−１、１００−２、１００−３の広告信号が検索された場合、移動端末機２００は強度が最も強い広告信号を放送した電子装置１００と通信するか、ユーザーによって選択された電子装置１００と通信することができる。また、移動端末機２００は複数の電子装置１００−１、１００−２、１００−３のいずれにも情報を放送することができる。
【０２７７】
以上では、電子装置および移動端末機のそれぞれの構成および動作を個別的に説明した。
【０２７８】
以下では、電子装置および移動端末機の連結動作を説明する。
【０２７９】
図１３は一実施例によるホームネットワークシステムの通信方法の一例を図示し、図１４は図１３に図示された通信方法により電子装置が接続中継機の情報を獲得することを図示する。
【０２８０】
図１３および図１４を参照して電子装置１００および第１移動端末機２００ａの通信方法（２０００）を説明する。
【０２８１】
第１移動端末機２００ａの動作とは独立して、電子装置１００の広告信号が放送される（２００５）。
【０２８２】
ユーザーから電源の供給命令が入力されると、電子装置１００は第１モードで動作することができる。また、第１モードで電子装置１００は、広告信号を放送することができ、広告信号は電子装置１００に関する情報を含む。例えば、Ｗｉ−Ｆｉ通信標準に沿って電子装置１００はＡＰモードで動作することができ、ＡＰモードで広告信号を放送することができる。この時、広告信号は電子装置１００のサブシステム識別子を含むことができる。
【０２８３】
電子装置１００の動作とは独立して、第１移動端末機２００ａはサーバー装置１にログインする（２０１０）。
【０２８４】
特定の条件が満足されると、第１移動端末機２００ａはサーバー装置１に接続することができる。例えば、ユーザーが第１移動端末機２００ａの電源をオンさせるかユーザーが特定のアプリケーションを実行させると、第１移動端末機２００ａはサーバー装置１に接続することができる。
【０２８５】
サーバー装置１に接続した後、第１移動端末機２００ａはサーバー装置１にログインすることができる。例えば、第１移動端末機２００ａはサーバー装置１にユーザーのアカウント情報および認証情報を送信し、サーバー装置１のサービスの提供を受けるための接続権限（ａｃｃｅｓｓ  ｔｏｋｅｎ）を獲得することができる。
【０２８６】
サーバー装置１にログインした後、第１移動端末機２００ａはサーバー装置１と多様な情報をやり取りすることができる。例えば、第１移動端末機２００ａはサーバー装置１に登録された電子装置１００の情報を要請し、サーバー装置１から電子装置１００の汎用固有識別子（Ｕｎｉｖｅｒｓａｌ  Ｕｎｉｑｕｅ  Ｉｄｅｎｔｉｆｉｅｒｓ、ＵＵＩＤ）、名称（ｎａｍｅ）等を受信することができる。また、第１移動端末機２００ａはサーバー装置１にユーザーのアカウント情報を要請し、サーバー装置１からユーザーのアカウント情報（例えば、ａｃｃｏｕｎｔ  ｉｄ．）を受信することができる。
【０２８７】
以後、第１移動端末機２００ａは電子装置１００を検索する（２０２０）。
【０２８８】
第１移動端末機２００ａは第１モードの電子装置１００から放送される広告信号を検索することができる。具体的には、第１移動端末機２００ａはローカル通信モジュール２７１を通じて無線信号を受信し、受信した無線信号が電子装置１００から送信された広告信号であるかを判断することができる。
【０２８９】
第１モードの電子装置１００は広告信号を放送しているので、第１移動端末機２００ａは電子装置１００から放送される広告信号を受信することができる。
【０２９０】
以後、第１移動端末機２００ａは電子装置１００を選択する（２０３０）。
【０２９１】
一つの電子装置１００が発見されると、第１移動端末機２００ａは発見された電子装置１００を選択し、複数の電子装置が発見されると、第１移動端末機２００ａは広告信号の強度またはユーザーの選択により少なくとも一つの電子装置１００を選択することができる。
【０２９２】
以後、第１移動端末機２００ａは接続中継機１０の情報を獲得する（２０４０）。
【０２９３】
具体的には、第１移動端末機２００ａは、ユーザーインタフェース２２０にユーザーが接続中継機１０の識別情報および認証情報を入力できる画面を表示し、ユーザーの入力によりユーザーが接続中継機１０の識別情報および認証情報を獲得することができる。または第１移動端末機２００ａに接続中継機１０の識別情報および認証情報が保存されている場合（既に識別情報および認証情報を入力して接続中継機に接続していた場合）、第１移動端末機２００ａは保存部２６０から自動で接続中継機１０の識別情報と認証情報をローディングすることができ、ユーザーインタフェース２２０には接続中継機１０の識別情報と認証情報が自動で表示され得、ユーザーがこれを確認／修正することができる。
【０２９４】
また、第１移動端末機２００ａは接続中継機１０の識別情報および認証情報を確認するために接続中継機１０に接続することができる。
【０２９５】
以後、第１移動端末機２００ａと電子装置１００との間のローカル通信が確立される（２０５０）。
【０２９６】
第１移動端末機２００ａは電子装置１００の広告信号に基づいて電子装置１００に通信要請を伝送することができる。また、電子装置１００は第１移動端末機２００ａの通信要請に対して応答することができる。この時、電子装置１００が第１移動端末機２００ａの通信要請を受諾すると、電子装置１００と第１移動端末機２００ａとの間の通信が確立される。
【０２９７】
以後、接続中継機１０の情報が第１移動端末機２００ａから電子装置１００に伝送される（２０６０）。
【０２９８】
第１移動端末機２００ａはユーザーから獲得した接続中継機１０の識別情報と認証情報を電子装置１００に送信することができる。
【０２９９】
例えば、図１４に図示されたように、第１移動端末機２００ａはローカル通信モジュール２７１を利用して電子装置１００に接続中継機１０の識別情報と認証情報を伝送することができ、電子装置１００はローカル通信モジュール１７１を利用して第１移動端末機２００ａから接続中継機１０の識別情報と認証情報を受信することができる。
【０３００】
以後、第１移動端末機２００ａの情報が第１移動端末機２００ａから電子装置１００に伝送される（２０７０）。
【０３０１】
電子装置１００は第１移動端末機２００ａに第１移動端末機２００ａの情報を要請することができ、電子装置１００の要請に応答して第１移動端末機２００ａは第１移動端末機２００ａの汎用固有識別子、名称などを伝送することができる。
【０３０２】
以後、電子装置１００の情報が電子装置１００から第１移動端末機２００ａに伝送される（２０８０）。
【０３０３】
第１移動端末機２００ａは電子装置１００に電子装置１００の情報を要請することができ、第１移動端末機２００ａの要請に応答して電子装置１００は電子装置１００の汎用固有識別子、名称などを伝送することができる。
【０３０４】
以後、電子装置１００と第１移動端末機２００ａとの間の通信が終了する（２０９０）。
【０３０５】
接続中継機１０の識別情報と認証情報を獲得した電子装置１００は、接続中継機１０に接続するために第１移動端末機２００ａとの通信を終了することができる。また、第１移動端末機２００ａも接続中継機１０に接続するために電子装置１００との通信を終了することができる。
【０３０６】
以上で説明された通り、電子装置１００は接続中継機１０の情報を獲得するために広告信号を放送し、第１移動端末機２００ａは電子装置１００の広告信号が検索されると電子装置１００に接続中継機１０の情報を伝送することができる。
【０３０７】
以下では、図１３に図示されたホームネットワークシステムの通信方法による電子装置１００と第１移動端末機２００ａのそれぞれの動作を説明する。
【０３０８】
図１５は、一実施例による電子装置の通信方法（１２００）の一例を図示した図面である。
【０３０９】
図１５を参照すると、電子装置１００は第１モードで動作する（１２１０）。
【０３１０】
電源が供給されると、電子装置１００は第１モードで動作することができる。例えば、プラグ−インによって電子装置１００に電源が供給されるか、プラグ−イン状態でユーザーが電源ボタンを押すと電子装置１００は第１モードで動作することができる。例えば、電子装置１００はＷｉ−Ｆｉ通信標準に沿ったＡＰモードで動作することができる。
【０３１１】
第１モードで電子装置１００は、広告信号を放送する（１２２０）。
【０３１２】
第１モードで電子装置１００は、第１移動端末機２００ａと通信するためにあらかじめ定められた時間間隔ごとに広告信号を放送することができる。この時、電子装置１００の存在を知らせるために広告信号は電子装置１００と関連した情報を含むことができる。
【０３１３】
例えば、電子装置１００がＷｉ−Ｆｉ通信標準に沿って通信する場合、電子装置１００はＡＰモードで動作することができる。ＡＰモードで電子装置１００は、広告信号を放送することができる。この時、広告信号は電子装置１００のサブシステム識別子を含むことができる。
【０３１４】
以後、電子装置１００は通信要請を受信する（１２３０）。
【０３１５】
広告信号を送信中に電子装置１００は第１移動端末機２００ａから送信された通信要請を受信することができる。
【０３１６】
以後、電子装置１００は第１移動端末機２００ａとの通信を確立する（１２４０）。
【０３１７】
電子装置１００は第１移動端末機２００ａの通信要請を受諾することができ、電子装置１００の受諾によって電子装置１００と第１移動端末機２００ａとの間の通信が確立される。
【０３１８】
場合によって、電子装置１００は第１移動端末機２００ａに対して認証情報（例えば、パスワード）を要請することができ、第１移動端末機２００ａの認証が完了すると電子装置１００と第１移動端末機２００ａとの間の通信が確立され得る。
【０３１９】
以後、電子装置１００は第１移動端末機２００ａから接続中継機１０の情報を受信する（１２５０）。
【０３２０】
第１移動端末機２００ａとの通信が確立された後、電子装置１００は接続中継機１０の識別情報と認証情報を第１移動端末機２００ａから受信することができる。
【０３２１】
以後、電子装置１００は第１移動端末機２００ａから第１移動端末機２００ａの情報を受信する（１２６０）。
【０３２２】
電子装置１００は第１移動端末機２００ａに第１移動端末機２００ａと関連した情報を要請することができる。以後、電子装置１００は第１移動端末機２００ａから第１移動端末機２００ａの汎用固有識別子、名称などを受信することができる。
【０３２３】
電子装置１００は第１移動端末機２００ａに関する情報に基づいて第１移動端末機２００ａを遠隔制御装置として登録することができる。
【０３２４】
以後、電子装置１００は第１移動端末機２００ａに電子装置１００の情報を送信する（１２７０）。
【０３２５】
第１移動端末機２００ａの要請に応答して電子装置１００は、電子装置１００の汎用固有識別子、名称などを送信することができる。
【０３２６】
以後、電子装置１００は第１移動端末機２００ａとの通信を終了する（１２８０）。
【０３２７】
接続中継機１０の識別情報と認証情報を獲得した電子装置１００は接続中継機１０に接続し、接続中継機１０を通じてサーバー装置１と通信するために第１移動端末機２００ａとの通信を終了することができる。
【０３２８】
以後、電子装置１００は第２モードで動作する（１２９０）。
【０３２９】
第２モードで電子装置１００は、接続中継機１０の識別情報を利用して接続中継機１０が放送する広告信号を検索し、接続中継機１０の認証情報を利用して接続中継機１０に接続することができる。例えば、電子装置１００がＷｉ−Ｆｉ通信標準に沿って通信する場合、電子装置１００はＳＴＡモードで動作することができる。ＳＴＡモードで電子装置１００は、接続中継機１０に接続することができる。
【０３３０】
図１６は、一実施例による移動端末機の通信方法（１３００）の一例を図示した図面である。
【０３３１】
図１６を参照すると、第１移動端末機２００ａはサーバー装置１にログインする（１３１０）。
【０３３２】
あらかじめ定められた条件が満足されると、第１移動端末機２００ａはサーバー装置１に接続することができる。例えば、電源がオンされたり、電子装置１００の制御のためのアプリケーションが実行されると、第１移動端末機２００ａはサーバー装置１に接続することができる。
【０３３３】
サーバー装置１に接続した後、第１移動端末機２００ａはサーバー装置１にログインすることができる。例えば、第１移動端末機２００ａはサーバー装置１にユーザーのアカウント情報および認証情報を送信し、サーバー装置１のサービスの提供を受けるための接続権限（ａｃｃｅｓｓ  ｔｏｋｅｎ）を獲得することができる。
【０３３４】
以後、第１移動端末機２００ａは電子装置１００を検索する（１３２０）。
【０３３５】
具体的には、第１移動端末機２００ａは第１モードの電子装置１００から放送される広告信号を検索することができる。例えば、第１移動端末機２００ａはローカル通信モジュール２７１を通じて無線信号を受信し、受信した無線信号が電子装置１００から送信された広告信号であるかを判断することができる。
【０３３６】
第１モードの電子装置１００が広告信号を放送しているのであれば、第１移動端末機２００ａは電子装置１００の広告信号を受信することができる。
【０３３７】
電子装置１００の広告信号が受信されると、第１移動端末機２００ａは接続中継機１０の情報を獲得する（１３３０）。
【０３３８】
具体的には、第１移動端末機２００ａはユーザーインタフェース２２０にユーザーが接続中継機１０の識別情報および認証情報を入力できる画面を表示し、ユーザーの入力によりユーザーが接続中継機１０の識別情報および認証情報を獲得することができる。または第１移動端末機２００ａに接続中継機１０の識別情報および認証情報が保存されている場合（既に識別情報および認証情報を入力して接続中継機に接続していた場合）、第１移動端末機２００ａは保存部２６０から自動で接続中継機１０の識別情報と認証情報をローディングすることができ、ユーザーインタフェース２２０には接続中継機１０の識別情報と認証情報が自動で表示され得、ユーザーがこれを確認／修正することができる。
【０３３９】
また、第１移動端末機２００ａは接続中継機１０の識別情報および認証情報を確認するために接続中継機１０に接続することができる。
【０３４０】
以後、第１移動端末機２００ａは電子装置１００に通信要請を伝送する（１３４０）。
【０３４１】
第１移動端末機２００ａは電子装置１００の広告信号に基づいて電子装置１００に通信要請を伝送することができる。広告信号は電子装置１００のサブシステム識別子を含むことができる。その結果、第１移動端末機２００ａは電子装置１００のサブシステム識別子に基づいて電子装置１００を識別し、識別された電子装置１００に通信要請を伝送することができる。
【０３４２】
以後、第１移動端末機２００ａは電子装置１００との通信を確立する（１３５０）。
【０３４３】
電子装置１００は第１移動端末機２００ａの通信要請を受諾することができ、電子装置１００の受諾によって電子装置１００と第１移動端末機２００ａとの間の通信が確立される。
【０３４４】
場合により電子装置１００は第１移動端末機２００ａに対して認証情報（例えば、パスワード）を要請することができ、第１移動端末機２００ａの認証が完了すると電子装置１００と第１移動端末機２００ａとの間の通信が確立され得る。
【０３４５】
以後、第１移動端末機２００ａは電子装置１００で接続中継機１０の情報を伝送する（１３６０）。
【０３４６】
電子装置１００との通信が確立された後、第１移動端末機２００ａはユーザーによって入力された接続中継機１０の識別情報と認証情報を電子装置１００に伝送することができる。
【０３４７】
以後、第１移動端末機２００ａは電子装置１００に第１移動端末機２００ａの情報を送信する（１３７０）。
【０３４８】
接続中継機１０の識別情報と認証情報を受信した後、電子装置１００の要請により第１移動端末機２００ａは電子装置１００に第１移動端末機２００ａの汎用固有識別子、名称などを送信することができる。
【０３４９】
以後、第１移動端末機２００ａは電子装置１００から電子装置１００の情報を受信する（１３８０）。
【０３５０】
第１移動端末機２００ａは電子装置１００に電子装置１００と関連した情報を要請することができる。以後、第１移動端末機２００ａは電子装置１００から電子装置１００の汎用固有識別子、名称などを受信することができる。
【０３５１】
第１移動端末機２００ａは電子装置１００に関する情報に基づいて電子装置１００を制御対象装置として登録することができる。
【０３５２】
以後、第１移動端末機２００ａは電子装置１００との通信を終了する（１３９０）。
【０３５３】
接続中継機１０の識別情報と認証情報を電子装置１００に提供した第１移動端末機２００ａは、電子装置１００が接続中継機１０に接続することができるように、電子装置１００との通信を終了することができる。
【０３５４】
以後、第１移動端末機２００ａは接続中継機１０の識別情報を利用して接続中継機１０が放送する広告信号を検索し、接続中継機１０の認証情報を利用して接続中継機１０に接続することができる。
【０３５５】
以下では、接続中継機１０を通じて電子装置１００と第１移動端末機２００ａが通信することを説明する。
【０３５６】
図１７は一実施例によるホームネットワークシステムの通信方法の一例を図示し、図１８は図１７に図示された通信方法により電子装置と移動端末機が通信することを図示する。
【０３５７】
図１７および図１８を参照して電子装置１００および第１移動端末機２００ａの通信方法（２１００）を説明する。
【０３５８】
第１移動端末機２００ａの動作とは独立して、電子装置１００は接続中継機１０に接続する（２１０５）。
【０３５９】
第２モードで電子装置１００は、第１移動端末機２００ａから獲得した接続中継機１０の識別情報と認証情報を利用して接続中継機１０に接続することができる。
【０３６０】
例えば、Ｗｉ−Ｆｉ通信標準に沿って電子装置１００はＳＴＡモードで接続中継機１０の広告信号を受信することができる。この時、広告信号は接続中継機１０のサブシステム識別子を含むことができる。
【０３６１】
電子装置１００は受信した広告信号に含まれたサブシステム識別字課接続中継機１０の識別情報とを比較することによって、接続中継機１０を識別することができる。
【０３６２】
また、接続中継機１０の広告信号が受信されると、電子装置１００は接続中継機１０に通信要請を伝送し、接続中継機１０の認証要請に応答して認証情報を伝送することができる。
【０３６３】
電子装置１００の認証が完了すると、電子装置１００は接続中継機１０と通信することができる。また、電子装置１００は接続中継機１０を通じて広域ネットワークＷＡＮに接続し、サーバー装置１と通信することもできる。
【０３６４】
電子装置１００の動作とは独立して、第１移動端末機２００ａも接続中継機１０に接続する（２１１０）。
【０３６５】
第１移動端末機２００ａはユーザーの入力から獲得した接続中継機１０の識別情報と認証情報を利用して接続中継機１０に接続することができる。
【０３６６】
例えば、Ｗｉ−Ｆｉ通信標準に沿って第１移動端末機２００ａは接続中継機１０の広告信号を受信することができる。この時、広告信号は接続中継機１０のサブシステム識別子を含むことができる。
【０３６７】
第１移動端末機２００ａは受信した広告信号に含まれたサブシステム識別字課接続中継機１０の識別情報とを比較することによって、接続中継機１０を識別することができる。
【０３６８】
また、接続中継機１０の広告信号が受信されると、第１移動端末機２００ａは接続中継機１０に通信要請を伝送し、接続中継機１０の認証要請に応答して認証情報を伝送することができる。
【０３６９】
第１移動端末機２００ａの認証が成功すると、第１移動端末機２００ａは接続中継機１０と通信することができる。また、第１移動端末機２００ａは接続中継機１０を通じて広域ネットワークＷＡＮに接続し、サーバー装置１と通信することもできる。
【０３７０】
以後、接続中継機１０を通じての電子装置１００と第１移動端末機２００ａの通信が確立される（２１２０）。
【０３７１】
電子装置１００と第１移動端末機２００ａは多様な方法で相互に確認することができる。
【０３７２】
例えば、図１８に図示されたように、電子装置１００は、サービス探索プロトコル（例えば、Ｓｉｍｐｌｅ  Ｓｅｒｖｉｃｅ  Ｄｉｓｃｏｖｅｒｙ  Ｐｒｏｔｏｃｏｌ、ＳＳＤＰ）を利用して接続中継機１０に接続されたすべての装置に広告メッセージを伝送することができ、第１移動端末機２００ａが電子装置１００の広告信号に応答することができる。
【０３７３】
他の例として、第１移動端末機２００ａは、サービス探索プロトコルを利用して接続中継機１０に接続されたすべての装置に検索メッセージを伝送することができ、電子装置１００が第１移動端末機２００ａの検索メッセージに応答することができる。
【０３７４】
以後、第１移動端末機２００ａが電子装置１００に接続中継機１０を通じてのＰ２Ｐ通信（ｐｅｅｒ−ｔｏ−ｐｅｅｒ  ｃｏｎｎｅｃｔｉｏｎ）を要請したり、電子装置１００が第１移動端末機２００ａに接続中継機１０を通じてのＰ２Ｐ通信を要請することができる。Ｐ２Ｐ通信要請が受諾されると、電子装置１００と第１移動端末機２００ａとの間に接続中継機１０を通じての通信が確立される。
【０３７５】
以後、第１移動端末機２００ａは接続中継機１０を通じて電子装置１００に制御権限（ｃｏｎｔｒｏｌ  ｔｏｋｅｎ）を要請する（２１３０）。
【０３７６】
制御権限は電子装置１００を制御できる権限を示す。制御権限を獲得すると、第１移動端末機２００ａは電子装置１００に制御命令を伝送することができ、電子装置１００は第１移動端末機２００ａの制御命令にしたがって動作することができる。
【０３７７】
制御権限の要請を受信した電子装置１００はユーザー認証を遂行する（２１４０）。
【０３７８】
正当なユーザーが第１移動端末機２００ａを通じて電子装置１００の制御権限を要請するかを判断するために、電子装置１００はユーザーにユーザー入力を要請することができる。換言すると、第３者が第１移動端末機２００ａを利用して電子装置１００を制御することを防止するために、電子装置１００はユーザーにユーザー入力を要請することができる。例えば、電子装置１００は入力部１２０に含まれた複数のボタンのうちいずれか一つのボタンを押すように要請することができる。また、ユーザー入力要請は電子装置１００の表示部１３０に表示されるか、第１移動端末機２００ａのユーザーインタフェース２２０に表示され得る。
【０３７９】
電子装置１００のユーザー入力要請に応答してユーザーはユーザー入力を入力することができ、ユーザーによって入力されたユーザー入力とあらかじめ定められたユーザー入力とが一致すると、ユーザー認証が完了する。
【０３８０】
ユーザー認証が成功すると、電子装置１００は接続中継機１０を通じて第１移動端末機２００ａに制御権限を伝送する（２１５０）。
【０３８１】
制御権限を獲得した第１移動端末機２００ａは電子装置１００の動作を制御することができる。
【０３８２】
以後、第１移動端末機２００ａは接続中継機１０を通じて電子装置１００にサーバー装置１に対するログイン情報を伝送する（２１６０）。
【０３８３】
制御権限を提供した電子装置１００は、第１移動端末機２００ａにサーバー装置１に対するログイン情報を要請することができ、電子装置１００のログイン情報要請に応答して第１移動端末機２００ａはサーバー装置１に認証コードを要請することができる。
サーバー装置１から認証コードが受信されると、第１移動端末機２００ａはユーザーアカウント情報とサーバー装置１から受信した認証コードを電子装置１００に送信することができる。
【０３８４】
以後、電子装置１００はサーバー装置１にログインする（２１７０）。
【０３８５】
電子装置１００は、第１移動端末機２００ａから受信したユーザーアカウント情報と認証コードを利用してサーバー装置１にログインし、ユーザーアカウントに登録する。換言すると、ユーザーが第１移動端末機２００ａを利用して制御できる装置の目録に電子装置１００を追加することができる。
【０３８６】
以上で説明された通り、電子装置１００はユーザー入力を通じて第１移動端末機２００ａのユーザーを認証し、サーバー装置１に登録することができる。
【０３８７】
以下では、図１７に図示されたホームネットワークシステムの通信方法による電子装置１００と第１移動端末機２００ａの動作をそれぞれ説明する。
【０３８８】
図１９は、一実施例による電子装置の通信方法（１４００）の一例を図示した図面である。
【０３８９】
図１９を参照すると、電子装置１００は第２モードで動作する（１４１０）。
【０３９０】
第１移動端末機２００ａから接続中継機１０の識別情報と認証情報を獲得した電子装置１００は第２モードで動作することができる。
【０３９１】
第２モードで電子装置１００は、接続中継機１０の広告信号を検索することができる。例えば、Ｗｉ−Ｆｉ通信標準に沿って電子装置１００はＳＴＡモードで接続中継機１０の広告信号を検索することができる。
【０３９２】
以後、電子装置１００は接続中継機１０に接続する（１４２０）。
【０３９３】
第２モードで電子装置１００は、接続中継機１０の広告信号を受信することができる。例えば、電子装置１００は接続中継機１０の広告信号を受信することができ、広告信号は接続中継機１０のサブシステム識別子を含むことができる。
【０３９４】
電子装置１００は広告信号に含まれたサブシステム識別字課接続中継機１０の識別情報とを比較することによって、接続中継機１０を識別することができる。
【０３９５】
また、接続中継機１０の広告信号が受信されると、電子装置１００は接続中継機１０に通信要請を伝送し、接続中継機１０の認証要請に応答して認証情報を伝送することができる。電子装置１００が認証されると、電子装置１００は接続中継機１０と通信することができる。
【０３９６】
以後、電子装置１００は第１移動端末機２００ａとの通信を確立する（１４３０）。
【０３９７】
電子装置１００は接続中継機１０を通じて第１移動端末機２００ａと通信することができる。
【０３９８】
例えば、電子装置１００は、サービス探索プロトコルを利用して接続中継機１０に接続されたすべての装置に広告メッセージを伝送することができる。
【０３９９】
第１移動端末機２００ａが電子装置１００の広告信号に応答すると、電子装置１００は第１移動端末機２００ａに接続中継機１０を通じてのＰ２Ｐ通信を要請することができる。Ｐ２Ｐ通信要請が受諾されると、電子装置１００と第１移動端末機２００ａとの間に接続中継機１０を通じての通信が確立される。
【０４００】
以後、電子装置１００は第１移動端末機２００ａから制御権限の要請を受信する（１４４０）。
【０４０１】
制御権限は電子装置１００を制御できる権限を示し、電子装置１００は制御権限を有する装置から受信した制御命令にしたがって動作することができる。
【０４０２】
以後、電子装置１００はあらかじめ定められたユーザー入力を要請する（１４５０）。
【０４０３】
正当なユーザーが第１移動端末機２００ａを通じて電子装置１００の制御権限を要請するかを判断するために、電子装置１００はユーザーにユーザー入力を要請することができる。換言すると、第３者が第１移動端末機２００ａを利用して電子装置１００を制御することを防止するために、電子装置１００はユーザーにユーザー入力を要請することができる。このようなユーザー入力要請は電子装置１００の表示部１３０に表示されるか、第１移動端末機２００ａのユーザーインタフェース２２０に表示され得る。
【０４０４】
以後、電子装置１００はユーザー認証を遂行する（１４６０）。
【０４０５】
具体的には、電子装置１００はユーザーによって入力されたユーザー入力とあらかじめ定められたユーザー入力とが一致するか判断することができる。
【０４０６】
ユーザー認証が失敗すると（１４６０の「いいえ」）、電子装置１００はユーザー入力を再要請することができる。
【０４０７】
また、ユーザー認証が成功すると（１４６０の「はい」）、電子装置１００は接続中継機１０を通じて第１移動端末機２００ａに制御権限を伝送する（１４７０）。
【０４０８】
その結果、電子装置１００は制御権限を有する第１移動端末機２００ａの制御命令にしたがって動作することができる。
【０４０９】
以後、電子装置１００は第１移動端末機２００ａからサーバー装置１に対するログイン情報を受信する（１４８０）。
【０４１０】
電子装置１００は第１移動端末機２００ａにサーバー装置１に対するログイン情報を要請することができ、電子装置１００のログイン情報要請に応答して第１移動端末機２００ａはユーザーアカウント情報と認証コードを電子装置１００に伝送することができる。
【０４１１】
以後、電子装置１００はサーバー装置１にログインする（１４９０）。
【０４１２】
電子装置１００は、第１移動端末機２００ａから受信したユーザーアカウント情報と認証コードを利用してサーバー装置１にログインし、ユーザーアカウントに電子装置１００を登録する。換言すると、ユーザーが第１移動端末機２００ａを利用して制御できる装置の目録に電子装置１００を追加することができる。
【０４１３】
図２０は、一実施例による移動端末機の通信方法（１５００）の一例を図示した図面である。
【０４１４】
図２０を参照すると、第１移動端末機２００ａは接続中継機１０に接続する（１５１０）。
【０４１５】
第１移動端末機２００ａは接続中継機１０の広告信号を受信することができる。例えば、電子装置１００は接続中継機１０の広告信号を受信することができ、広告信号は接続中継機１０のサブシステム識別子を含むことができる。
【０４１６】
第１移動端末機２００ａは広告信号に含まれたサブシステム識別字課接続中継機１０の識別情報とを比較することによって、接続中継機１０を識別することができる。
【０４１７】
また、接続中継機１０の広告信号が受信されると、第１移動端末機２００ａは接続中継機１０に通信要請を伝送し、接続中継機１０の認証要請に応答して認証情報を伝送することができる。認証に成功すると、第１移動端末機２００ａは接続中継機１０と通信することができる。
【０４１８】
以後、第１移動端末機２００ａは電子装置１００との通信を確立する（１５２０）。
【０４１９】
第１移動端末機２００ａは接続中継機１０を通じて電子装置１００と通信することができる。
【０４２０】
例えば、電子装置１００は、サービス探索プロトコルを利用して接続中継機１０に接続されたすべての装置に広告メッセージを伝送することができる。
【０４２１】
第１移動端末機２００ａが電子装置１００の広告信号に応答すると、電子装置１００は第１移動端末機２００ａに接続中継機１０を通じてのＰ２Ｐ通信を要請することができる。Ｐ２Ｐ通信要請が受諾されると、電子装置１００と第１移動端末機２００ａとの間に接続中継機１０を通じての通信が確立される。
【０４２２】
以後、第１移動端末機２００ａは電子装置１００に制御権限を要請する（１５３０）。
【０４２３】
制御権限は電子装置１００を制御できる権限を示し、電子装置１００は制御権限を有する装置から受信した制御命令にしたがって動作することができる。
【０４２４】
以後、第１移動端末機２００ａは電子装置１００から制御権限を受信する（１５４０）。
【０４２５】
制御権限の要請を受信した電子装置１００はユーザー入力を通じてユーザー認証を遂行し、ユーザー認証が成功すると電子装置１００は制御権限を第１移動端末機２００ａに伝送することができる。
【０４２６】
第１移動端末機２００ａは電子装置１００にサーバー装置１に対するログイン情報を伝送する（１５５０）。
【０４２７】
制御権限を提供した電子装置１００は、第１移動端末機２００ａにサーバー装置１に対するログイン情報を要請することができる。
【０４２８】
電子装置１００のログイン情報要請に応答して第１移動端末機２００ａはサーバー装置１に認証コードを要請し、サーバー装置１から認証コードを受信することができる。
【０４２９】
以後、第１移動端末機２００ａはユーザーアカウント情報とサーバー装置１から受信した認証コードを電子装置１００に送信することができる。電子装置１００はユーザーアカウント情報と認証コードを利用してサーバー装置１にログインすることができる。
【０４３０】
また、電子装置１００がサーバー装置１にログインした後、第１移動端末機２００ａは電子装置１００から電子装置１００のサーバー登録情報を獲得することができる。
【０４３１】
以上で説明されたように、電子装置１００は第１移動端末機２００ａに制御権限を提供し、第１移動端末機２００ａから受信したログイン情報を利用してサーバー装置１に登録することができる。
【０４３２】
電子装置１００がサーバー装置１のユーザーアカウントに登録されると、ユーザーは第１移動端末機２００ａを利用して電子装置１００に対する制御命令を入力することができ、制御命令は第１移動端末機２００ａおよびサーバー装置１を経て電子装置１００に伝送され得る。たいび、ユーザーはどこでも第１移動端末機２００ａを利用して電子装置１００を制御することができる。
【０４３３】
以上では、接続中継機に接続されない電子装置と移動端末機との間の通信を説明した。
【０４３４】
以下では、接続中継機に接続された電子装置と移動端末機との間の通信を説明する。
【０４３５】
図２１は一実施例によるホームネットワークシステムの通信方法の一例を図示し、図２２は図２１に図示された通信方法により電子装置と移動端末機が通信することを図示する。
【０４３６】
図２１および図２２を参照して電子装置１００および第２移動端末機２００ｂの通信方法（２２００）を説明する。
【０４３７】
この時、第２移動端末機２００ｂは前述した通信方法（２０００、２１００、図１３および図１７参照）の第１移動端末機（２００ａ、図１３および図１７参照）とは異なる端末であり得る。したがって、ユーザーが第２移動端末機２００ｂを利用して電子装置１００を制御するために、第２移動端末機２００ｂは電子装置１００の制御権限を獲得し、電子装置１００はユーザーアカウントに電子装置１００として登録することができる。
【０４３８】
第２移動端末機２００ｂの動作とは独立して、電子装置１００は接続中継機１０に接続する（２２０５）。
【０４３９】
前述した通信方法（２０００、図１３参照）で説明された通り、電子装置１００は接続中継機１０の識別情報および認証情報を獲得し、保存部１６０に保存することができる。
【０４４０】
一旦、接続中継機１０の識別情報および認証情報を獲得すると、電子装置１００は獲得した接続中継機１０の識別情報および認証情報を利用して接続中継機１０への接続を継続することができる。換言すると、接続中継機１０の識別情報および認証情報を獲得すると、電子装置１００は同じ接続中継機１０の識別情報および認証情報を第２移動端末機２００ｂから再度獲得しなくてもよい。ただし、接続中継機１０が取り換えられるか接続中継機１０の識別情報および認証情報が変更された場合には、電子装置１００は第２移動端末機２００ｂから接続中継機１０の識別情報および認証情報を再び獲得し得る。
【０４４１】
したがって、接続中継機１０の識別情報および認証情報をあらかじめ獲得した電子装置１００は、第２モードで接続中継機１０の広告信号を検索し、あらかじめ保存された接続中継機１０の識別情報および認証情報を利用して接続中継機１０に接続することができる。
【０４４２】
電子装置１００の動作とは独立して、第２移動端末機２００ｂはサーバー装置１にログインする（２２１０）。
【０４４３】
特定の条件が満足されると、第２移動端末機２００ｂはサーバー装置１に接続することができる。例えば、ユーザーが第２移動端末機２００ｂの電源をオンさせるかユーザーが特定のアプリケーションを実行させると、第２移動端末機２００ｂはサーバー装置１に接続することができる。
【０４４４】
サーバー装置１に接続した後、第２移動端末機２００ｂはサーバー装置１にログインすることができる。例えば、第２移動端末機２００ｂはサーバー装置１にユーザーのアカウント情報および認証情報を送信し、サーバー装置１のサービスの提供を受けるための接続権限（ａｃｃｅｓｓ  ｔｏｋｅｎ）を獲得することができる。
【０４４５】
サーバー装置１にログインした後、第２移動端末機２００ｂはサーバー装置１と多様な情報をやり取りすることができる。例えば、第２移動端末機２００ｂはサーバー装置１に電子装置１００の情報を要請し、サーバー装置１から電子装置１００の汎用固有識別子、名称などを受信することができる。また、第２移動端末機２００ｂはサーバー装置１にユーザーの情報を要請し、サーバー装置１からユーザーのアカウント情報を受信することができる。
【０４４６】
以後、第２移動端末機２００ｂは電子装置１００を検索する（２２２０）。
【０４４７】
第２移動端末機２００ｂは第１モードの電子装置１００から放送される広告信号を検索することができる。具体的には、第１移動端末機２００ａはローカル通信モジュール２７１を通じて無線信号を受信し、受信した無線信号が電子装置１００から送信された広告信号であるかを判断することができる。
【０４４８】
第２モードの電子装置１００は接続中継機１０に接続されており、第２移動端末機２００ｂは電子装置１００から放送される広告信号を受信できない。
【０４４９】
電子装置１００の広告信号が受信されないと、第２移動端末機２００ｂは接続中継機１０に接続する（２２３０）。
【０４５０】
電子装置１００が接続中継機１０にすでに接続されていれば、第２移動端末機２００ｂは電子装置１００に再度接続中継機１０の識別情報と認証情報を提供せずに接続中継機１０に接続を試みることができる。
【０４５１】
第２移動端末機２００ｂは接続中継機１０の識別情報と認証情報を利用して接続中継機１０に接続することができる。
【０４５２】
例えば、Ｗｉ−Ｆｉ通信標準に沿って第２移動端末機２００ｂは接続中継機１０の広告信号を受信することができる。この時、広告信号は接続中継機１０のサブシステム識別子を含むことができる。
【０４５３】
第２移動端末機２００ｂは受信した広告信号に含まれたサブシステム識別字課接続中継機１０の識別情報とを比較することによって、接続中継機１０を識別することができる。
【０４５４】
また、接続中継機１０の広告信号が受信されると、第２移動端末機２００ｂは接続中継機１０に通信要請を伝送し、接続中継機１０の認証要請に応答して認証情報を伝送することができる。
【０４５５】
第２移動端末機２００ｂの認証が成功すると、第２移動端末機２００ｂは接続中継機１０と通信することができる。また、第２移動端末機２００ｂは接続中継機１０を通じて広域ネットワークＷＡＮに接続し、サーバー装置１と通信することもできる。
【０４５６】
以後、接続中継機１０を通じての電子装置１００と第２移動端末機２００ｂの通信が確立される（２２４０）
【０４５７】
電子装置１００と第２移動端末機２００ｂは多様な方法で相互に確認することができる。
【０４５８】
例えば、図２２に図示されたように、第２移動端末機２００ｂはサービス探索プロトコルを利用して接続中継機１０に接続されたすべての装置に検索メッセージを伝送することができ、電子装置１００が第２移動端末機２００ｂの検索メッセージに応答することができる。
【０４５９】
以後、第２移動端末機２００ｂが電子装置１００に接続中継機１０を通じてのＰ２Ｐ通信を要請したり、電子装置１００が第２移動端末機２００ｂに接続中継機１０を通じてのＰ２Ｐ通信を要請することができる。Ｐ２Ｐ通信要請が受諾されると、電子装置１００と第２移動端末機２００ｂの間に接続中継機１０を通じての通信が確立される。
【０４６０】
以後、第２移動端末機２００ｂは接続中継機１０を通じて電子装置１００に制御権限（ｃｏｎｔｒｏｌ  ｔｏｋｅｎ）を要請する（２２５０）。
【０４６１】
制御権限は電子装置１００を制御できる権限を示す。制御権限を獲得すると、第２移動端末機２００ｂは電子装置１００に制御命令を伝送することができ、電子装置１００は第２移動端末機２００ｂの制御命令にしたがって動作することができる。
【０４６２】
制御権限の要請を受信した電子装置１００はあらかじめ定められたユーザー入力が入力されるか判断する（２２６０）。
【０４６３】
正当なユーザーが第２移動端末機２００ｂを通じて電子装置１００の制御権限を要請するかを判断するために、電子装置１００はユーザーにユーザー入力を要請することができる。換言すると、第３者が第２移動端末機２００ｂを利用して電子装置１００を制御することを防止するために、電子装置１００はユーザーにユーザー入力を要請することができる。また、ユーザー入力要請は電子装置１００の表示部１３０に表示されるか、第２移動端末機２００ｂのユーザーインタフェース２２０に表示され得る。
【０４６４】
電子装置１００のユーザー入力要請に応答してユーザーはユーザー入力を入力することができ、ユーザーによって入力されたユーザー入力とあらかじめ定められたユーザー入力とが一致すると、ユーザー認証が完了する。
【０４６５】
ユーザー認証が成功すると、電子装置１００は接続中継機１０を通じて第１移動端末機２００ａに制御権限を伝送する（２２７０）。
【０４６６】
制御権限を獲得した第２移動端末機２００ｂは電子装置１００の動作を制御することができる。
【０４６７】
以後、第２移動端末機２００ｂは接続中継機１０を通じて電子装置１００にサーバー装置１に対するログイン情報を伝送する（２２８０）。
【０４６８】
制御権限を提供した電子装置１００は、第２移動端末機２００ｂにサーバー装置１に対するログイン情報を要請することができ、電子装置１００のログイン情報要請に応答して第２移動端末機２００ｂはサーバー装置１に認証コードを要請することができる。サーバー装置１から認証コードを受信されると、第２移動端末機２００ｂはユーザーアカウント情報とサーバー装置１から受信した認証コードを電子装置１００に送信することができる。
【０４６９】
以後、電子装置１００はサーバー装置１にログインする（２２９０）。
【０４７０】
電子装置１００は第１移動端末機２００ａから受信したユーザーアカウント情報と認証コードを利用してサーバー装置１にログインし、ユーザーアカウントに電子装置１００を登録する。換言すると、ユーザーが第２移動端末機２００ｂを利用して制御できる装置の目録に電子装置１００を追加することができる。
【０４７１】
以上で説明された通り、電子装置１００はユーザー入力を通じて第２移動端末機２００ｂのユーザーを認証し、サーバー装置１のユーザーアカウントに登録することができる。
【０４７２】
特に、電子装置１００が接続中継機１０の識別情報と認証情報をあらかじめ獲得し、すでに接続中継機１０に接続されていれば、第２移動端末機２００ｂは電子装置１００に接続中継機１０の識別情報と認証情報を再び提供しない。
【０４７３】
その結果、電子装置１００が接続中継機１０にすでに接続されていれば、第２移動端末機２００ｂがサーバー装置１に電子装置１００を登録させる動作時間が最小化され得る。
【０４７４】
以下では、図２１に図示されたホームネットワークシステムの通信方法による電子装置１００と第２移動端末機２００ｂの動作をそれぞれ説明する。
【０４７５】
図２３は、一実施例による電子装置の通信方法（１６００）の一例を図示した図面である。
【０４７６】
図１９を参照すると、電子装置１００は第２モードで動作する（１６１０）。
【０４７７】
あらかじめ接続中継機１０の識別情報と認証情報を獲得した電子装置１００は第２モードで動作することができる。
【０４７８】
第２モードで電子装置１００は、接続中継機１０の広告信号を検索することができる。例えば、Ｗｉ−Ｆｉ通信標準に沿って電子装置１００はＳＴＡモードで接続中継機１０の広告信号を検索することができる。
【０４７９】
以後、電子装置１００は接続中継機１０に接続する（１６２０）。
【０４８０】
第２モードで電子装置１００は、接続中継機１０の広告信号を受信することができる。この時、広告信号は接続中継機１０のサブシステム識別子を含むことができる。
【０４８１】
電子装置１００は広告信号に含まれたサブシステム識別字課接続中継機１０の識別情報とを比較することによって、接続中継機１０を識別することができる。
【０４８２】
また、接続中継機１０の広告信号が受信されると、電子装置１００は接続中継機１０に通信要請を伝送し、接続中継機１０の認証要請に応答して認証情報を伝送することができる。電子装置１００が認証されると、電子装置１００は接続中継機１０と通信することができる。
【０４８３】
以後、電子装置１００は第２移動端末機２００ｂとの通信を確立する（１６３０）。
【０４８４】
電子装置１００は接続中継機１０を通じて第２移動端末機２００ｂと通信することができる。
【０４８５】
例えば、第２移動端末機２００ｂはサービス探索プロトコルを利用して電子装置１００に検索メッセージを伝送すると、電子装置１００が第２移動端末機２００ｂの検索メッセージに応答することができる。
【０４８６】
また、第２移動端末機２００ｂが電子装置１００に接続中継機１０を通じてのＰ２Ｐ通信を要請すると、電子装置１００はＰ２Ｐ通信を受諾することができる。その結果、電子装置１００と第２移動端末機２００ｂの間に接続中継機１０を通じての通信が確立される。
【０４８７】
以後、電子装置１００は第２移動端末機２００ｂから制御権限の要請を受信する（１６４０）。
【０４８８】
制御権限は電子装置１００を制御できる権限を示し、電子装置１００は制御権限を有する装置から受信した制御命令にしたがって動作することができる。
【０４８９】
以後、電子装置１００はあらかじめ定められたユーザー入力を要請する（１６５０）。
【０４９０】
正当なユーザーが第２移動端末機２００ｂを通じて電子装置１００の制御権限を要請するかを判断するために、電子装置１００はユーザーにユーザー入力を要請することができる。換言すると、第３者が第２移動端末機２００ｂを利用して電子装置１００を制御することを防止するために、電子装置１００はユーザーにユーザー入力を要請することができる。このようなユーザー入力要請は電子装置１００の表示部１３０に表示されるか、第２移動端末機２００ｂのユーザーインタフェース２２０に表示され得る。
【０４９１】
以後、電子装置１００はユーザー認証を遂行する（１６６０）。
【０４９２】
具体的には、電子装置１００はユーザーによって入力されたユーザー入力とあらかじめ定められたユーザー入力とが一致するか判断することができる。
【０４９３】
ユーザー認証が失敗すると（１６６０の「いいえ」）、電子装置１００はユーザー入力を再要請することができる。
【０４９４】
また、ユーザー認証が成功すると（１６６０の「はい」）、電子装置１００は接続中継機１０を通じて第２移動端末機２００ｂに制御権限を伝送する（１６７０）。
【０４９５】
その結果、電子装置１００は制御権限を有する第２移動端末機２００ｂの制御命令にしたがって動作することができる。
【０４９６】
以後、電子装置１００は第２移動端末機２００ｂからサーバー装置１に対するログイン情報を受信する（１６８０）。
【０４９７】
電子装置１００は第２移動端末機２００ｂにサーバー装置１に対するログイン情報を要請することができ、電子装置１００のログイン情報要請に応答して第２移動端末機２００ｂはユーザーアカウント情報と認証コードを電子装置１００に伝送することができる。
【０４９８】
以後、電子装置１００はサーバー装置１にログインする（１６９０）。
【０４９９】
電子装置１００は第２移動端末機２００ｂから受信したユーザーアカウント情報と認証コードを利用してサーバー装置１にログインし、ユーザーアカウントに電子装置１００を登録する。換言すると、ユーザーが第２移動端末機２００ｂを利用して制御できる装置の目録に電子装置１００を追加することができる。
【０５００】
図２４は、一実施例による移動端末機の通信方法（１７００）の一例を図示した図面である。
【０５０１】
図２４を参照すると、第２移動端末機２００ｂはサーバー装置１にログインする（１７１０）。
【０５０２】
あらかじめ定められた条件が満足されると、第２移動端末機２００ｂはサーバー装置１に接続することができる。例えば、電源がオンされたり電子装置１００の制御のためのアプリケーションが実行されると、第２移動端末機２００ｂはサーバー装置１に接続することができる。
【０５０３】
サーバー装置１に接続した後、第２移動端末機２００ｂはサーバー装置１にログインすることができる。例えば、第２移動端末機２００ｂはサーバー装置１にユーザーのアカウント情報および認証情報を送信し、サーバー装置１のサービスの提供を受けるための接続権限（ａｃｃｅｓｓ  ｔｏｋｅｎ）を獲得することができる。
【０５０４】
以後、第２移動端末機２００ｂは電子装置１００を検索する（１７２０）。
【０５０５】
具体的には、第２移動端末機２００ｂは第１モードの電子装置１００から放送される広告信号を検索することができる。
【０５０６】
ただし、電子装置１００が接続中継機１０にすでに接続されていれば、第２移動端末機２００ｂは電子装置１００の広告信号を受信できないこともある。
【０５０７】
電子装置１００の広告信号が受信されないと、第２移動端末機２００ｂは接続中継機１０に接続する（１７３０）。
【０５０８】
第２移動端末機２００ｂは接続中継機１０の広告信号を受信することができる。例えば、電子装置１００は接続中継機１０の広告信号を受信することができ、広告信号は接続中継機１０のサブシステム識別子を含むことができる。
【０５０９】
第２移動端末機２００ｂは広告信号に含まれたサブシステム識別字課接続中継機１０の識別情報とを比較することによって、接続中継機１０を識別することができる。
【０５１０】
また、接続中継機１０の広告信号が受信されると、第２移動端末機２００ｂは接続中継機１０に通信要請を伝送し、接続中継機１０の認証要請に応答して認証情報を伝送することができる。認証に成功すると、第２移動端末機２００ｂは接続中継機１０と通信することができる。
【０５１１】
以後、第２移動端末機２００ｂは電子装置１００との通信を確立する（１７４０）。
【０５１２】
第２移動端末機２００ｂは接続中継機１０を通じて電子装置１００と通信することができる。
【０５１３】
例えば、第２移動端末機２００ｂはサービス探索プロトコルを利用して電子装置１００に検索メッセージを伝送することができる。
【０５１４】
電子装置１００が第２移動端末機２００ｂの検索メッセージに応答すると、第２移動端末機２００ｂは電子装置１００に接続中継機１０を通じてのＰ２Ｐ通信を要請することができる。電子装置１００はＰ２Ｐ通信を受諾すると、電子装置１００と第２移動端末機２００ｂの間に接続中継機１０を通じての通信が確立される。
【０５１５】
以後、第２移動端末機２００ｂは電子装置１００に制御権限を要請する（１７５０）。
【０５１６】
制御権限は電子装置１００を制御できる権限を示し、電子装置１００は制御権限を有する装置から受信した制御命令にしたがって動作することができる。
【０５１７】
以後、第２移動端末機２００ｂは電子装置１００から制御権限を受信する（１７６０）。
【０５１８】
制御権限の要請を受信した電子装置１００はユーザー入力を通じてユーザー認証を遂行し、ユーザー認証が成功すると電子装置１００は制御権限を第２移動端末機２００ｂに伝送することができる。
【０５１９】
第２移動端末機２００ｂは電子装置１００にサーバー装置１に対するログイン情報を伝送する（１７７０）。
【０５２０】
制御権限を提供した電子装置１００は、第２移動端末機２００ｂにサーバー装置１に対するログイン情報を要請することができる。
【０５２１】
電子装置１００のログイン情報要請に応答して第２移動端末機２００ｂはサーバー装置１に認証コードを要請し、サーバー装置１から認証コードを受信することができる。
【０５２２】
以後、第２移動端末機２００ｂはユーザーアカウント情報とサーバー装置１から受信した認証コードを電子装置１００に送信することができる。電子装置１００はユーザーアカウント情報と認証コードを利用してサーバー装置１にログインすることができる。
【０５２３】
また、電子装置１００がサーバー装置１にログインした後、第２移動端末機２００ｂは電子装置１００から電子装置１００のサーバー登録情報を獲得することができる。
【０５２４】
以上では、一つのサーバー装置を含むホームネットワークシステムを説明した。
【０５２５】
以下では、複数のサーバー装置を含むホームネットワークシステムを説明する。
【０５２６】
図２５は、一実施例によるホームネットワークシステムの通信方法の一例を図示した図面である。
【０５２７】
図２５を参照すると、ホームネットワークシステムは、接続中継機１０、電子装置１００、第１移動端末機２００ａ、第１サーバー１ａ、第２サーバー１ｂおよび第３サーバー１ｃを含むことができる。
【０５２８】
接続中継機１０、電子装置１００および第１移動端末機２００ａはすでに説明されたので、その説明を省略する。
【０５２９】
第１サーバー１ａ、第２サーバー１ｂおよび第３サーバー１ｃはそれぞれサービスを提供し、ユーザーアカウントを管理し、電子装置１００と第１移動端末機２００ａを連結することができる。例えば、第１サーバー１ａは、電子装置１００と第１移動端末機２００ａにサービスを提供することができる。また、第２サーバー１ｂは、ユーザーアカウントの情報とユーザーアカウントに登録された装置の情報を管理することができる。また、第３サーバー１ｃは、電子装置１００のネットワークアドレスと第１移動端末機２００ａのネットワークアドレスを管理することができる。
【０５３０】
このように、サーバー装置を機能により区分することによって、機能的な拡張性およびセキュリティー性が向上され得る。
【０５３１】
ホームネットワークシステムの通信方法（３０００）を説明すると、第１移動端末機２００ａは第２サーバー１ｂにログインする（３００５）。ユーザーが第１移動端末機２００ａの電源をオンさせるかユーザーが特定のアプリケーションを実行させると、第１移動端末機２００ａは第２サーバー１ｂに接続してログインすることができる。ここで、第２サーバー１ｂはユーザーアカウントの情報とユーザーアカウントに登録された装置の情報を管理することができる。
【０５３２】
以後、第１移動端末機２００ａは第２サーバー１ｂに電子装置１００の情報を要請し（３０１０）、第２サーバー１ｂから電子装置１００の汎用固有識別子、名称などを受信する（３０１５）。
【０５３３】
以後、第１移動端末機２００ａは第２サーバー１ｂにユーザーのアカウント情報を要請し（３０２０）、第２サーバー１ｂからユーザーのアカウント情報を受信する（３０２５）。
【０５３４】
以後、第１移動端末機２００ａは広告信号を検索する（３０３０）。第１移動端末機２００ａの動作とは別途に、電子装置１００は第１モードで広告信号を放送することができ、広告信号は電子装置１００のサブシステム識別子を含むことができる。したがって、第１移動端末機２００ａは電子装置１００から放送される広告信号を受信することができる。
【０５３５】
以後、第１移動端末機２００ａは電子装置１００を選択し、接続中継機１０の情報を獲得する（３０４０）。第１移動端末機２００ａはユーザーインタフェース２２０にユーザーが接続中継機１０の識別情報および認証情報を入力できる画面を表示し、ユーザーの入力によりユーザーが接続中継機１０の識別情報および認証情報を獲得することができる。または第１移動端末機２００ａに接続中継機１０の識別情報および認証情報が保存されている場合（既に識別情報および認証情報を入力して接続中継機に接続していた場合）、第１移動端末機２００ａは保存部２６０から自動で接続中継機１０の識別情報と認証情報をローディングすることができ、ユーザーインタフェース２２０には接続中継機１０の識別情報と認証情報が自動で表示され得、ユーザーがこれを確認／修正することができる。
【０５３６】
以後、第１移動端末機２００ａは接続中継機１０の識別情報および認証情報を確認する（３０４５）。第１移動端末機２００ａは接続中継機１０の識別情報および認証情報を利用して接続中継機１０に接続を試みることができる。
【０５３７】
以後、第１移動端末機２００ａと電子装置１００との間のローカル通信が確立される（３０５０）。第１移動端末機２００ａは電子装置１００に通信を要請して電子装置１００がこれを受諾すると、電子装置１００と第１移動端末機２００ａとの間の通信が確立される。
【０５３８】
以後、接続中継機１０の情報が第１移動端末機２００ａから電子装置１００に伝送される（３０５５）。第１移動端末機２００ａはユーザーから獲得した接続中継機１０の識別情報と認証情報を電子装置１００に送信することができる。
【０５３９】
以後、電子装置１００は第１移動端末機２００ａに第１移動端末機２００ａの情報を要請し（３０６０）、第１移動端末機２００ａは第１移動端末機２００ａの汎用固有識別子、名称などを送信する（３０６５）。
【０５４０】
以後、第１移動端末機２００ａは電子装置１００に電子装置１００の情報を要請し（３０７０）、電子装置１００は電子装置１００の汎用固有識別子、名称などを第１移動端末機２００ａに伝送する（３０７５）。
【０５４１】
以後、電子装置１００と第１移動端末機２００ａとの間の通信が終了する（３０８０）。接続中継機１０の識別情報と認証情報を獲得した電子装置１００は接続中継機１０に接続するために、第１移動端末機２００ａとの通信を終了することができる。
【０５４２】
以上で説明された通り、電子装置１００は接続中継機１０の情報を獲得するために広告信号を放送し、第１移動端末機２００ａは電子装置１００の広告信号が検索されると電子装置１００に接続中継機１０の情報を伝送することができる。
【０５４３】
図２６は、一実施例によるホームネットワークシステムの通信方法の一例を図示した図面である。
【０５４４】
図２６を参照してホームネットワークシステムの通信方法（３１００）を説明すると、電子装置１００は接続中継機１０に接続する（３１０５）。第２モードで電子装置１００は、第１移動端末機２００ａから獲得した接続中継機１０の識別情報と認証情報を利用して接続中継機１０に接続することができる。
【０５４５】
また、第１移動端末機２００ａも接続中継機１０に接続する（３１１０）。第１移動端末機２００ａはユーザーの入力から獲得した接続中継機１０の識別情報と認証情報を利用して接続中継機１０に接続することができる。
【０５４６】
以後、接続中継機１０を通じての電子装置１００と第１移動端末機２００ａの通信が確立される（３１１５）。電子装置１００は、サービス探索プロトコルを利用して接続中継機１０に接続されたすべての装置に広告メッセージを伝送することができ、第１移動端末機２００ａが電子装置１００の広告信号に応答することができる。以後、電子装置１００と第１移動端末機２００ａとの間に接続中継機１０を通じての通信が確立される。
【０５４７】
以後、第１移動端末機２００ａは接続中継機１０を通じて電子装置１００に制御権限を要請する（３１２０）。ここで、制御権限は電子装置１００を制御できる権限を示す。
【０５４８】
以後、電子装置１００はユーザー認証を遂行する（３１２５）。正当なユーザーが第１移動端末機２００ａを通じて電子装置１００の制御権限を要請するかを判断するために、電子装置１００はユーザーにユーザー入力を要請することができる。ユーザーのユーザー入力があらかじめ定められたユーザー入力と同じであると、ユーザー認証が完了する。
【０５４９】
以後、電子装置１００は第１移動端末機２００ａに制御権限を伝送する（３１３０）。制御権限を獲得した第１移動端末機２００ａは電子装置１００の動作を制御することができる。
【０５５０】
以後、電子装置１００は第１移動端末機２００ａにユーザーアカウント情報を要請する（３１３５）。
【０５５１】
電子装置１００の要請に応答して第１移動端末機２００ａは第２サーバー１ｂに認証コードを要請し（３１４０）、第２サーバー１ｂから認証コードを受信する（３１４５）。
【０５５２】
以後、第１移動端末機２００ａはユーザーアカウント識別子と認証コードを電子装置１００に送信する（３１５０）。
【０５５３】
以後、電子装置１００は第２サーバー１ｂにログインする（３１５５）。電子装置１００は第１移動端末機２００ａから受信したユーザーアカウント情報と認証コードを利用してサーバー装置１にログインし、ユーザーアカウントに登録する。
【０５５４】
以後、第１移動端末機２００ａは第１サーバー１ａに電子装置１００の登録を要請する（３１６０）。ここで、第１サーバー１ａは第１移動端末機２００ａの制御命令を解釈し、これを電子装置１００に伝送することができる。前記において電子装置１００は第２サーバー１ｂに登録されたが、第１サーバー１ａへの登録と第３サーバー１ｃへの登録は別途要求される。したがって、第１移動端末機２００ａは第１サーバー１ａに電子装置１００の登録を要請し、第１サーバー１ａに電子装置１００の登録のための情報（ＵＵＩＤなど）を伝送する。
【０５５５】
以後、第１移動端末機２００ａは電子装置１００を第３サーバー１ｃに登録させるためのアカウント情報（Ｐｅｅｒ  ＩＤ、Ｐｅｅｒ  Ｇｒｏｕｐ  ＩＤ）を獲得する（３１６５）。ここで、第３サーバー１ｃは第１移動端末機２００ａのネットワークアドレスと電子装置１００のネットワークアドレスを保存し、第１移動端末機２００ａと電子装置１００をネットワーク上で連結させ得る。
【０５５６】
以後、第１移動端末機２００ａは電子装置１００ａに第３サーバー１ｃへの登録を要請し、第３サーバー１ｃに登録させるためのアカウント情報を伝送する（３１７０）。
【０５５７】
以後、電子装置１００は第３サーバー１ｃに登録させるためのアカウント情報を利用して第３サーバー１ｃにログインし、電子装置１００のネットワークアドレスを登録する（３１７５）。
【０５５８】
以上で説明された通り、電子装置１００はユーザー入力を通じて第１移動端末機２００ａのユーザーを認証し、第１、第２および第３サーバー１ａ、１ｂ、１ｃに登録することができる。
【０５５９】
図２７は、一実施例によるホームネットワークシステムの通信方法の一例を図示した図面である。
【０５６０】
図２７を参照してホームネットワークシステムの通信方法（３２００）を説明すると、第２移動端末機２００ｂは第２サーバー１ｂにログインする（３２０５）。この時、第２移動端末機２００ｂは前述した通信方法（３０００、３１００、図２５および図２６参照）の第１移動端末機（２００ａ、図２５および図２６参照）とは異なる端末であり得る。ユーザーが第２移動端末機２００ｂの電源をオンさせるかユーザーが特定のアプリケーションを実行させると、第２移動端末機２００ｂは第２サーバー１ｂに接続することができる。
【０５６１】
以後、第２移動端末機２００ｂは第２サーバー１ｂに電子装置１００の情報を要請し（３２１０）、第２サーバー１ｂから電子装置１００の汎用固有識別子、名称などを受信する（３２１５）。
【０５６２】
以後、第２移動端末機２００ｂは第２サーバー１ｂにユーザーのアカウント情報を要請し（３２２０）、第２サーバー１ｂからユーザーのアカウント情報を受信する（３２２５）。
【０５６３】
以後、第１移動端末機２００ａは広告信号を検索する（３２３０）。第１移動端末機２００ａの動作とは別途に、電子装置１００は第２モードで接続中継機１０に接続することができる。したがって、第２移動端末機２００ｂは電子装置１００から放送される広告信号を受信できないこともある。
【０５６４】
以後、第２移動端末機２００ｂは接続中継機１０に接続する（３２３５）。第２移動端末機２００ｂはあらかじめ保存された接続中継機１０の識別情報と認証情報を利用して接続中継機１０に接続することができる。
【０５６５】
以後、接続中継機１０を通じての電子装置１００と第１移動端末機２００ａの通信が確立される（３２４０）。第２移動端末機２００ｂはサービス探索プロトコルを利用して接続中継機１０に接続されたすべての装置に検索メッセージを伝送することができ、電子装置１００が第２移動端末機２００ｂの検索メッセージに応答することができる。以後、電子装置１００と第２移動端末機２００ｂの間に接続中継機１０を通じての通信が確立される。
【０５６６】
以後、第２移動端末機２００ｂは接続中継機１０を通じて電子装置１００に制御権限を要請する（３２４５）。ここで、制御権限は電子装置１００を制御できる権限を示す。
【０５６７】
以後、電子装置１００はユーザー認証を遂行する（３２５０）。正当なユーザーが第２移動端末機２００ｂを通じて電子装置１００の制御権限を要請するかを判断するために、電子装置１００はユーザーにユーザー入力を要請することができる。ユーザーのユーザー入力があらかじめ定められたユーザー入力と同じであると、ユーザー認証が完了する。
【０５６８】
以後、電子装置１００は第２移動端末機２００ｂに制御権限を伝送する（３２５５）。制御権限を獲得した第２移動端末機２００ｂは電子装置１００の動作を制御することができる。
【０５６９】
以後、電子装置１００は第２移動端末機２００ｂにユーザーアカウント情報を要請する（３２６０）。
【０５７０】
電子装置１００の要請に応答して第２移動端末機２００ｂは第２サーバー１ｂにサーバー装置１に認証コードを要請し（３２６５）、第２サーバー１ｂから認証コードを受信する（３２７０）。
【０５７１】
以後、第２移動端末機２００ｂはユーザーアカウント識別子と認証コードを電子装置１００に送信する（３２７５）。
【０５７２】
以後、電子装置１００は第２サーバー１ｂにログインする（３２８０）。電子装置１００は第２移動端末機２００ｂから受信したユーザーアカウント情報と認証コードを利用してサーバー装置１にログインし、ユーザーアカウントに登録する。
【０５７３】
以後、第２移動端末機２００ｂは第１サーバー１ａに電子装置１００の登録を要請する（３２８５）。前記において電子装置１００は第２サーバー１ｂに登録されたが、第１サーバー１ａへの登録と第３サーバー１ｃへの登録は別途要求される。したがって、第２移動端末機２００ｂは第１サーバー１ａに電子装置１００の登録を要請し、第１サーバー１ａに電子装置１００の登録のための情報（ＵＵＩＤなど）を伝送する。
【０５７４】
以後、第２移動端末機２００ｂは電子装置１００を第３サーバー１ｃに登録させるためのアカウント情報を獲得する（３２９０）。
【０５７５】
以後、第２移動端末機２００ｂは電子装置（１００ａ）に第３サーバー１ｃへの登録を要請し、第３サーバー１ｃに登録させるためのアカウント情報を伝送する（３２９５）。
【０５７６】
以後、電子装置１００は第３サーバー１ｃに登録させるためのアカウント情報を利用して第３サーバー１ｃにログインし、電子装置１００のネットワークアドレスを登録する（３３００）。
【０５７７】
以上で説明された通り、電子装置１００はユーザー入力を通じて第２移動端末機２００ｂのユーザーを認証し、サーバー装置１のユーザーアカウントに登録することができる。
【０５７８】
特に、電子装置１００が接続中継機１０の識別情報と認証情報をあらかじめ獲得し、すでに接続中継機１０に接続されていれば、第２移動端末機２００ｂは電子装置１００に接続中継機１０の識別情報と認証情報を再び提供しない。
【０５７９】
その結果、電子装置１００が接続中継機１０にすでに接続されていれば、第２移動端末機２００ｂがサーバー装置１に電子装置１００を登録させる動作時間が最小化され得る。
【０５８０】
一方、開示された実施例はコンピュータによって実行可能な命令語を保存する記録媒体の形態で具現され得る。命令語はプログラムコードの形態で保存され得、プロセッサによって実行された時、プログラムモジュールを生成して開示された実施例の動作を遂行することができる。記録媒体はコンピュータで読み取り可能な記録媒体で具現され得る。
【０５８１】
コンピュータ読み取り可能な記録媒体としては、コンピュータによって解読され得る命令語が保存されたすべての種類の記録媒体を含む。例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、磁気テープ、磁気ディスク、フラッシュメモリ、光データ保存装置などであり得る。
【０５８２】
以上、添付された図面を参照して開示された実施例を説明した。本発明が属する技術分野で通常の知識を有する者は、本発明の技術的思想や必須の特徴を変更することなく、開示された実施例とは異なる形態で本発明が実施され得ることを理解できるはずである。開示された実施例は例示的なものであり、限定的なものと解釈されてはならない。
【図１】
2019506020.tif 000003
【図２】
2019506020.tif 000004
【図３】
2019506020.tif 000005
【図４】
2019506020.tif 000006
【図５ａ】
2019506020.tif 000007
【図５ｂ】
2019506020.tif 000008
【図６】
2019506020.tif 000009
【図７】
2019506020.tif 000010
【図８】
2019506020.tif 000011
【図９】
2019506020.tif 000012
【図１０】
2019506020.tif 000013
【図１１】
2019506020.tif 000014
【図１２】
2019506020.tif 000015
【図１３】
2019506020.tif 000016
【図１４】
2019506020.tif 000017
【図１５】
2019506020.tif 000018
【図１６】
2019506020.tif 000019
【図１７】
2019506020.tif 000020
【図１８】
2019506020.tif 000021
【図１９】
2019506020.tif 000022
【図２０】
2019506020.tif 000023
【図２１】
2019506020.tif 000024
【図２２】
2019506020.tif 000025
【図２３】
2019506020.tif 000026
【図２４】
2019506020.tif 000027
【図２５】
2019506020.tif 000028
【図２６】
2019506020.tif 000029
【図２７】
2019506020.tif 000030
【国際調査報告】
2019506020.tif 000031
2019506020.tif 000032
2019506020.tif 000033
2019506020.tif 000034